(57)【要約】  マルチユーザ（ＭＵ）通信のケースにおける、媒体予約のための装置および方法。ＭＵ送信を保護するために複数のメカニズムがサポートされている。ここで、ダウンリンクデータパケットを送信する前に、アクセスポイントと、担当されているユーザ局との間で、適切な制御メッセージを交換できる。特に、ワイヤレス通信のための装置（４０２）は、データ通信用の媒体を予約するために、複数の装置（４０４1-3）に予約メッセージ（４０６）を送信するように構成されている送信機と、予約メッセージ（４０６）に応答して複数の装置のうちの２つ以上からチャネル上で同時に送信された複数の確認メッセージ（４０８）を、そのチャネル上で受信するように構成されている受信機とを備え、確認メッセージ（４０８）は、実質的に同じ波形を含み、送信機は、確認メッセージに応答して、媒体を通して、２つ以上の装置にデータ（４１２）を送信するようにも構成されている。【選択図】    図４
2013528015.tif 000002
【特許請求の範囲】
【請求項１】
ワイヤレス通信のための装置において、
データ通信用の媒体を予約するために、複数の装置に予約メッセージを送信するように構成されている送信機と、
前記予約メッセージに応答して前記複数の装置のうちの２つ以上からチャネル上で同時に送信された複数の確認メッセージを、前記チャネル上で受信するように構成されている受信機とを具備し、
前記送信機は、前記確認メッセージに応答して、前記媒体を通して、前記２つ以上の装置にデータを送信するようにも構成されており、
前記確認メッセージは、実質的に同じ波形を含む装置。
【請求項２】
前記予約メッセージは、ＩＥＥＥ８０２．１１送信要求（ＲＴＳ）メッセージフォーマットと実質的に同じフォーマットを有しており、
前記確認メッセージのそれぞれは、ＩＥＥＥ８０２．１１送信可（ＣＴＳ）メッセージフォーマットと実質的に同じフォーマットを有している請求項１記載の装置。
【請求項３】
前記予約メッセージは、ネットワークアロケーションベクトル（ＮＡＶ）情報を含む請求項１記載の装置。
【請求項４】
前記確認メッセージが前記実質的に同じ波形を確実に含むように、管理メッセージ中で１つ以上のパラメータを特定するように構成されている回路をさらに具備し、
前記送信機は、前記複数の装置に前記管理メッセージを送信するようにも構成されている請求項１記載の装置。
【請求項５】
前記パラメータのうちの１つは、前記確認メッセージを送信するために前記２つ以上の装置において適用されることになるスクランブリングシーケンスを示す請求項４記載の装置。
【請求項６】
前記予約メッセージは、前記複数の装置のマルチキャストグループアドレスを含む送信要求（ＲＴＳ）メッセージを含む請求項１記載の装置。
【請求項７】
前記複数の装置に対する一意的なグループアドレスを構築するように構成されている回路をさらに具備し、
前記送信機は、前記予約メッセージを送信する前に、前記複数の装置に前記一意的なグループアドレスを含む管理フレームを送信するようにも構成されている請求項１記載の装置。
【請求項８】
関数に基づいて、前記複数の装置の識別子を、グループ媒体アクセス制御（ＭＡＣ）アドレスにマッピングするように構成されているマッパーをさらに具備し、
前記送信機は、前記予約メッセージを送信する前に、前記グループＭＡＣアドレスを持つ管理メッセージを、前記複数の装置に送信するようにも構成されている請求項１記載の装置。
【請求項９】
前記予約メッセージは、前記複数の装置に送信されるブロードキャストメッセージを含む請求項１記載の装置。
【請求項１０】
前記予約メッセージは、前記拡張された分散型チャネルアクセス（ＥＤＣＡ）プロトコルにしたがって前記複数の装置に送信されるメッセージを含む請求項１記載の装置。
【請求項１１】
前記２つ以上の装置に送信されるデータは、マルチユーザ複数入力複数出力超高スループット物理レイヤコンバージェンスプロシージャプロトコルデータユニット（ＭＵ−ＭＩＭＯ ＶＨＴ ＰＰＤＵ）を含む請求項１記載の装置。
【請求項１２】
ワイヤレス通信のための方法において、
データ通信用の媒体を予約するために、複数の装置に予約メッセージを送信することと、
前記予約メッセージに応答して前記装置のうちの２つ以上からチャネル上で同時に送信された複数の確認メッセージを、前記チャネル上で受信することと、
前記確認メッセージに応答して、前記媒体を通して、前記２つ以上の装置にデータを送信することとを含み、
前記確認メッセージは、実質的に同じ波形を含む方法。
【請求項１３】
前記予約メッセージは、ＩＥＥＥ８０２．１１送信要求（ＲＴＳ）メッセージフォーマットと実質的に同じフォーマットを有しており、
前記確認メッセージのそれぞれは、ＩＥＥＥ８０２．１１送信可（ＣＴＳ）メッセージフォーマットと実質的に同じフォーマットを有している請求項１２記載の方法。
【請求項１４】
前記予約メッセージは、ネットワークアロケーションベクトル（ＮＡＶ）情報を含む請求項１２記載の方法。
【請求項１５】
前記確認メッセージが前記実質的に同じ波形を確実に含むように、管理メッセージ中で１つ以上のパラメータを特定することと、
前記複数の装置に前記管理メッセージを送信することとをさらに含む請求項１２記載の方法。
【請求項１６】
前記パラメータのうちの１つは、前記確認メッセージを送信するために前記２つ以上の装置において適用されることになるスクランブリングシーケンスを示す請求項１５記載の方法。
【請求項１７】
前記予約メッセージは、前記装置のマルチキャストグループアドレスを含む送信要求（ＲＴＳ）メッセージを含む請求項１２記載の方法。
【請求項１８】
前記複数の装置に対する一意的なグループアドレスを構築することと、
前記予約メッセージを送信する前に、前記複数の装置に前記一意的なグループアドレスを含む管理フレームを送信することとをさらに含む請求項１２記載の方法。
【請求項１９】
関数に基づいて、前記複数の装置の識別子を、グループ媒体アクセス制御（ＭＡＣ）アドレスにマッピングすることと、
前記予約メッセージを送信する前に、前記グループＭＡＣアドレスを持つ管理メッセージを、前記複数の装置に送信することとをさらに含む請求項１２記載の方法。
【請求項２０】
前記予約メッセージは、前記装置に送信されるブロードキャストメッセージを含む請求項１２記載の方法。
【請求項２１】
前記予約メッセージは、前記拡張された分散型チャネルアクセス（ＥＤＣＡ）プロトコルにしたがって前記装置に送信されるメッセージを含む請求項１２記載の方法。
【請求項２２】
前記２つ以上の装置に送信されるデータは、マルチユーザ複数入力複数出力超高スループット物理レイヤコンバージェンスプロシージャプロトコルデータユニット（ＭＵ−ＭＩＭＯ ＶＨＴ ＰＰＤＵ）を含む請求項１２記載の方法。
【請求項２３】
ワイヤレス通信のための装置において、
データ通信用の媒体を予約するために、複数の装置に予約メッセージを送信する手段と、
前記予約メッセージに応答して前記複数の装置のうちの２つ以上からチャネル上で同時に送信された複数の確認メッセージを、前記チャネル上で受信する手段とを具備し、
前記送信する手段は、前記確認メッセージに応答して、前記媒体を通して、前記２つ以上の装置にデータを送信するようにさらに構成されており、
前記確認メッセージは、実質的に同じ波形を含む装置。
【請求項２４】
前記予約メッセージは、ＩＥＥＥ８０２．１１送信要求（ＲＴＳ）メッセージフォーマットと実質的に同じフォーマットを有しており、
前記確認メッセージのそれぞれは、ＩＥＥＥ８０２．１１送信可（ＣＴＳ）メッセージフォーマットと実質的に同じフォーマットを有している請求項２３記載の装置。
【請求項２５】
前記予約メッセージは、ネットワークアロケーションベクトル（ＮＡＶ）情報を含む請求項２３記載の装置。
【請求項２６】
前記確認メッセージが前記実質的に同じ波形を確実に含むように、管理メッセージ中で１つ以上のパラメータを特定する手段をさらに具備し、
前記送信する手段は、前記複数の装置に前記管理メッセージを送信するようにさらに構成されている請求項２３記載の装置。
【請求項２７】
前記パラメータのうちの１つは、前記確認メッセージを送信するために前記２つ以上の装置において適用されることになるスクランブリングシーケンスを示す請求項２６記載の装置。
【請求項２８】
前記予約メッセージは、前記複数の装置のマルチキャストグループアドレスを含む送信要求（ＲＴＳ）メッセージを含む請求項２３記載の装置。
【請求項２９】
前記複数の装置に対する一意的なグループアドレスを構築する手段をさらに具備し、
前記送信する手段は、前記予約メッセージを送信する前に、前記複数の装置に前記一意的なグループアドレスを含む管理フレームを送信するようにさらに構成されている請求項２３記載の装置。
【請求項３０】
関数に基づいて、前記複数の装置の識別子を、グループ媒体アクセス制御（ＭＡＣ）アドレスにマッピングする手段をさらに具備し、
前記送信する手段は、前記予約メッセージを送信する前に、前記グループＭＡＣアドレスを持つ管理メッセージを、前記複数の装置に送信するようにさらに構成されている請求項２３記載の装置。
【請求項３１】
前記予約メッセージは、前記複数の装置に送信されるブロードキャストメッセージを含む請求項２３記載の装置。
【請求項３２】
前記予約メッセージは、前記拡張された分散型チャネルアクセス（ＥＤＣＡ）プロトコルにしたがって前記複数の装置に送信されるメッセージを含む請求項２３記載の装置。
【請求項３３】
前記２つ以上の装置に送信されるデータは、マルチユーザ複数入力複数出力超高スループット物理レイヤコンバージェンスプロシージャプロトコルデータユニット（ＭＵ−ＭＩＭＯ ＶＨＴ ＰＰＤＵ）を含む請求項２３記載の装置。
【請求項３４】
ワイヤレス通信のためのコンピュータプログラムプロダクトにおいて、
データ通信用の媒体を予約するために、複数の装置に予約メッセージを送信するように実行可能な命令と、
前記予約メッセージに応答して前記装置のうちの２つ以上からチャネル上で同時に送信された複数の確認メッセージを、前記チャネル上で受信するように実行可能な命令と、
前記確認メッセージに応答して、前記媒体を通して、前記２つ以上の装置にデータを送信するように実行可能な命令とを含むコンピュータ読取可能媒体を具備し、
前記確認メッセージは、実質的に同じ波形を含むコンピュータプログラムプロダクト。
【請求項３５】
アクセスポイントにおいて、
少なくとも１つのアンテナと、
データ通信用の媒体を予約するために、前記少なくとも１つのアンテナを介して、複数のアクセス端末に予約メッセージを送信するように構成されている送信機と、
前記予約メッセージに応答して前記アクセス端末のうちの２つ以上からチャネル上で同時に送信された複数の確認メッセージを、前記少なくとも１つのアンテナを介して、前記チャネル上で受信するように構成されている受信機とを具備し、
前記送信機は、前記確認メッセージに応答して、前記少なくとも１つのアンテナを介して、前記媒体を通して、前記２つ以上のアクセス端末にデータを送信するようにも構成されており、
前記確認メッセージは、実質的に同じ波形を含むアクセスポイント。
【請求項３６】
ワイヤレス通信のための装置において、
データ通信用の媒体を予約するために複数の装置に送信された予約メッセージを、前記複数の装置のうちの前記装置において、受信するように構成されている受信機と、
前記予約メッセージに応答して、前記複数の装置のうちの１つ以上から１つ以上の他の確認メッセージを送信することにより、確認メッセージを同時に送信するように構成されている送信機とを具備し、
前記受信機は、前記装置に専用のデータを受信するようにも構成されており、
送信されるすべての確認メッセージは、チャネル上で送信される実質的に同じ波形を含む装置。
【請求項３７】
前記予約メッセージは、ＩＥＥＥ８０２．１１送信要求（ＲＴＳ）メッセージフォーマットと実質的に同じフォーマットを有しており、
前記確認メッセージは、ＩＥＥＥ８０２．１１送信可（ＣＴＳ）メッセージフォーマットと実質的に同じフォーマットを有している請求項３６記載の装置。
【請求項３８】
前記受信機は、前記確認メッセージを送信する前に、前記複数の装置に送信された管理メッセージを受信するようにも構成されており、
前記管理メッセージは、前記送信されるすべての確認メッセージが、前記実質的に同じ波形を確実に含むための１つ以上のパラメータを含む請求項３６記載の装置。
【請求項３９】
前記パラメータのうちの１つは、スクランブリングシーケンスを示し、
前記装置は、
前記確認メッセージを送信するために、前記示されたスクランブリングシーケンスを適用するように構成されているスクランブラーをさらに具備し、
同じスクランブリングシーケンスが、前記他の確認メッセージを送信するために、前記１つ以上の装置において適用される請求項３８記載の装置。
【請求項４０】
前記予約メッセージは、前記複数の装置のマルチキャストグループアドレスを含む送信要求（ＲＴＳ）メッセージを含み、
前記装置は、
前記データが前記装置に対してアドレス指定されていることを、前記マルチキャストグループアドレスに基づいて識別するように構成されている回路をさらに具備する請求項３６記載の装置。
【請求項４１】
前記受信機は、前記予約メッセージの受信の前に、前記複数の装置の一意的なグループアドレスを持つ管理フレームを受信するようにも構成されており、
前記装置は、
前記データが前記装置にアドレス指定されていることを、前記一意的なグループアドレスに基づいて識別するように構成されている回路をさらに具備する請求項３６記載の装置。
【請求項４２】
前記受信機は、前記複数の装置に関係付けられているグループ媒体アクセス制御（ＭＡＣ）アドレスを持つ管理メッセージを受信するようにも構成されており、
前記装置は、
前記装置の識別子を取得するために、関数に基づいて、前記グループＭＡＣアドレスをデマッピングするように構成されているデマッパーと、
前記データが前記装置に対してアドレス指定されていることを、前記取得した識別子に基づいて識別するように構成されている回路とをさらに具備する請求項３６記載の装置。
【請求項４３】
前記確認メッセージは、前記受信した予約メッセージからのネットワークアロケーションベクトル（ＮＡＶ）情報を含む請求項３６記載の装置。
【請求項４４】
前記確認メッセージのそれぞれは、前記予約メッセージ中で特定されている空間ストリーム割振りにしたがって送信される請求項３６記載の装置。
【請求項４５】
ワイヤレス通信のための方法において、
データ通信用の媒体を予約するために複数の装置に送信された予約メッセージを、前記複数の装置のうちの１つの装置において、受信することと、
前記予約メッセージに応答して、前記複数の装置のうちの１つ以上から１つ以上の他の確認メッセージを送信することにより、確認メッセージを同時に送信することと、
前記装置に専用のデータを受信することとを含み、
送信されるすべての確認メッセージは、チャネル上で送信される実質的に同じ波形を含む方法。
【請求項４６】
前記予約メッセージは、ＩＥＥＥ８０２．１１送信要求（ＲＴＳ）メッセージフォーマットと実質的に同じフォーマットを有しており、
前記確認メッセージは、ＩＥＥＥ８０２．１１送信可（ＣＴＳ）メッセージフォーマットと実質的に同じフォーマットを有している請求項４５記載の方法。
【請求項４７】
前記確認メッセージを送信する前に、前記複数の装置に送信された管理メッセージを受信することをさらに含み、
前記管理メッセージは、前記送信されるすべての確認メッセージが、前記実質的に同じ波形を確実に含むための１つ以上のパラメータを含む請求項４５記載の方法。
【請求項４８】
前記パラメータのうちの１つは、スクランブリングシーケンスを示し、
前記方法は、
前記確認メッセージを送信するために、前記示されたスクランブリングシーケンスを適用することをさらに含み、
同じスクランブリングシーケンスが、前記他の確認メッセージを送信するために、前記１つ以上の装置において適用される請求項４７記載の方法。
【請求項４９】
前記予約メッセージは、前記複数の装置のマルチキャストグループアドレスを含む送信要求（ＲＴＳ）メッセージを含み、
前記方法は、
前記データが前記装置に対してアドレス指定されていることを、前記マルチキャストグループアドレスに基づいて識別することをさらに含む請求項４５記載の方法。
【請求項５０】
前記予約メッセージの受信の前に、前記複数の装置の一意的なグループアドレスを持つ管理フレームを受信することと、
前記データが前記装置に対してアドレス指定されていることを、前記一意的なグループアドレスに基づいて識別することとをさらに含む請求項４５記載の方法。
【請求項５１】
前記複数の装置に関係付けられているグループ媒体アクセス制御（ＭＡＣ）アドレスを持つ管理メッセージを受信することと、
前記装置の識別子を取得するために、関数に基づいて、前記グループＭＡＣアドレスをデマッピングすることと、
前記データが前記装置に対してアドレス指定されていることを、前記取得した識別子に基づいて識別することとをさらに含む請求項４５記載の方法。
【請求項５２】
前記確認メッセージは、前記受信した予約メッセージからのネットワークアロケーションベクトル（ＮＡＶ）情報を含む請求項４５記載の方法。
【請求項５３】
前記確認メッセージのそれぞれは、前記予約メッセージ中で特定されている空間ストリーム割振りにしたがって送信される請求項４５記載の方法。
【請求項５４】
ワイヤレス通信のための装置において、
データ通信用の媒体を予約するために複数の装置に送信された予約メッセージを、前記複数の装置のうちの前記装置において、受信する手段と、
前記予約メッセージに応答して、前記複数の装置のうちの１つ以上から１つ以上の他の確認メッセージを送信することにより、確認メッセージを同時に送信する手段とを具備し、
前記受信する手段は、前記装置に専用のデータを受信するようにさらに構成されており、
送信されるすべての確認メッセージは、チャネル上で送信される実質的に同じ波形を含む装置。
【請求項５５】
前記予約メッセージは、ＩＥＥＥ８０２．１１送信要求（ＲＴＳ）メッセージフォーマットと実質的に同じフォーマットを有しており、
前記確認メッセージは、ＩＥＥＥ８０２．１１送信可（ＣＴＳ）メッセージフォーマットと実質的に同じフォーマットを有している請求項５４記載の装置。
【請求項５６】
前記受信する手段は、前記確認メッセージを送信する前に、前記複数の装置に送信された管理メッセージを受信するようにさらに構成されており、
前記管理メッセージは、前記送信されるすべての確認メッセージが、前記実質的に同じ波形を確実に含むための１つ以上のパラメータを含む請求項５４記載の装置。
【請求項５７】
前記パラメータのうちの１つは、スクランブリングシーケンスを示し、
前記装置は、
前記確認メッセージを送信するために、前記示されたスクランブリングシーケンスを適用する手段をさらに具備し、
同じスクランブリングシーケンスが、前記他の確認メッセージを送信するために、前記１つ以上の装置において適用される請求項５６記載の装置。
【請求項５８】
前記予約メッセージは、前記複数の装置のマルチキャストグループアドレスを含む送信要求（ＲＴＳ）メッセージを含み、
前記装置は、
前記データが前記装置に対してアドレス指定されていることを、前記マルチキャストグループアドレスに基づいて識別する手段をさらに具備する請求項５４記載の装置。
【請求項５９】
前記受信する手段は、前記予約メッセージの受信の前に、前記複数の装置の一意的なグループアドレスを持つ管理フレームを受信するようにさらに構成されており、
前記装置は、
前記データが前記装置に対してアドレス指定されていることを、前記一意的なグループアドレスに基づいて識別する手段をさらに具備する請求項５４記載の装置。
【請求項６０】
前記受信する手段は、前記複数の装置に関係付けられているグループ媒体アクセス制御（ＭＡＣ）アドレスを持つ管理メッセージを受信するようにさらに構成されており、
前記装置は、
前記装置の識別子を取得するために、関数に基づいて、前記グループＭＡＣアドレスをデマッピングする手段と、
前記データが前記装置にアドレス指定されていることを、前記取得した識別子に基づいて識別する手段とをさらに具備する請求項５４記載の装置。
【請求項６１】
前記確認メッセージは、前記受信した予約メッセージからのネットワークアロケーションベクトル（ＮＡＶ）情報を含む請求項５４記載の装置。
【請求項６２】
前記確認メッセージのそれぞれは、前記予約メッセージ中で特定されている空間ストリーム割振りにしたがって送信される請求項５４記載の装置。
【請求項６３】
ワイヤレス通信のためのコンピュータプログラムプロダクトにおいて、
データ通信用の媒体を予約するために複数の装置に送信された予約メッセージを、前記複数の装置のうちの１つの装置において、受信するように実行可能な命令と、
前記予約メッセージに応答して、前記複数の装置のうちの１つ以上から１つ以上の他の確認メッセージを送信することにより、確認メッセージを同時に送信するように実行可能な命令と、
前記装置に専用のデータを受信するように実行可能な命令とを含むコンピュータ読取可能媒体を具備し、
送信されるすべての確認メッセージは、チャネル上で送信される実質的に同じ波形を含むコンピュータプログラムプロダクト。
【請求項６４】
アクセス端末において、
少なくとも１つのアンテナと、
データ通信用の媒体を予約するために複数のアクセス端末に送信された予約メッセージを、前記少なくとも１つアンテナを介して、前記複数のアクセス端末のうちの前記アクセス端末において、受信するように構成されている受信機と、
前記予約メッセージに応答して、前記複数のアクセス端末のうちの１つ以上から１つ以上の他の確認メッセージを送信することにより、前記少なくとも１つアンテナを介して、確認メッセージを同時に送信するように構成されている送信機とを具備し、
前記受信機は、前記少なくとも１つアンテナを介して、前記アクセス端末に専用のデータを受信するようにも構成されており、
送信されるすべての確認メッセージは、チャネル上で送信される実質的に同じ波形を含むアクセス端末。
【発明の詳細な説明】
【合衆国法典第３５部第１１９条の下での優先権の主張】
【０００１】
本特許出願は、２０１０年３月３１日に出願された米国仮特許出願シリアル番号第６１／３１９，６８６号と、２０１０年５月１４日に出願された米国仮特許出願シリアル番号第６１／３４５，００４号との利益を主張し、これらの出願は、本特許出願の譲受人に譲渡され、ここでの参照によりここに明確に組み込まれている。
【分野】
【０００２】
本開示のある態様は、一般的にワイヤレス通信に関し、さらに詳細には、マルチユーザ送信のケースにおける媒体予約のための方法および装置に関する。
【背景】
【０００３】
ワイヤレス通信システムに対して要望される帯域幅要求の増加の問題を取り扱うために、チャネルリソースを共有することにより、複数のユーザ端末が単一のアクセスポイントと通信することが可能になる一方で、高データスループットを達成するように、異なるスキームが開発されている。複数入力複数出力（ＭＩＭＯ）技術は、次世代通信システムのための人気のある技術として近年登場してきた、このような１つのアプローチを表している。ＭＩＭＯ技術は、米国電気電子学会（ＩＥＥＥ）８０２．１１標準規格のような、いくつかの新興のワイヤレス通信標準規格において採用されている。ＩＥＥＥ８０２．１１は、短距離通信（例えば、数十メートルから数百メートル）のためにＩＥＥＥ８０２．１１委員会により開発された１組のワイヤレスローカルエリアネットワーク（ＷＬＡＮ）エアインターフェース標準規格を示す。
【０００４】
ＩＥＥＥ８０２．１１ＷＬＡＮ標準規格団体は、１秒当たり１ギガビットより大きい総スループットをターゲットとする、５ＧＨｚの搬送波周波数を使用する、または、６０ＧＨｚの搬送波周波数（すなわち、ＩＥＥＥ８０２．１１ａｄ規格）を使用する、超高スループット（ＶＨＴ）アプローチに基づく送信のための規格を確立した。ＶＨＴ５ＧＨｚ規格に対する使用可能な技術のうちの１つは、より広いチャネル帯域幅であり、これは、２つの４０ＭＨｚチャネルを結合して８０ＭＨｚとするので、物理レイヤ（ＰＨＹ）データレートは２倍になり、ＩＥＥＥ８０２．１１ｎ標準規格と比較して、コストにおける増加は無視できるものである。
【０００５】
ＭＩＭＯシステムは、データ送信のために、複数（ＮT本）の送信アンテナと複数（ＮR本）の受信アンテナとを用いる。ＮT本の送信アンテナとＮR本の受信アンテナとにより形成されるＭＩＭＯチャネルは、ＮS個の独立したチャネルに分解でき、これは、空間チャネルとも呼ばれ、ここで、ＮS≦ｍｉｎ｛ＮT，ＮR｝である。ＮS個の独立したチャネルのそれぞれは、次元に対応する。ＭＩＭＯシステムは、複数の送信アンテナおよび受信アンテナにより生成される追加の次元を利用する場合に、改善された性能（例えば、より高いスループットおよび／またはより大きな信頼性）を提供できる。
【０００６】
ＩＥＥＥ８０２．１１ネットワークにおいて、搬送波感知多重アクセス衝突回避方式（ＣＳＭＡ／ＣＡ）と呼ばれるランダム媒体アクセスメカニズムにしたがうことによって、送信が生じることがある。１つのノードからの送信が、ネットワーク中の他のノードからの送信と並行して起こることがあり、この状況を、衝突と呼ぶことがある。ＣＳＭＡ／ＣＡメカニズムは、他のノード（すなわち、ユーザ局（ＳＴＡ））が既に送信していることがないように、送信を開始する前に、ＳＴＡに媒体を感知させることによって、衝突を回避しようとする。いくつかのコンフィギュレーションでは、すべてのＳＴＡが互いにヒアリングできるわけではなく、感知メカニズムは失敗することがある。これは、隠れノードシナリオと呼ぶことができる。後者のケースを制限するために、ネットワークアロケーションベクトル（ＮＡＶ）の概念が、ＩＥＥＥ８０２．１１標準規格中に存在し、ここで、ＮＡＶ情報は、媒体がその間ビジーになるだろう時間の表示を含んでもよい。この表示は、適切なメッセージを使用することにより、隠れノードに返答されてもよい。
【０００７】
ＩＥＥＥ８０２．１１標準規格は、隠れノードにＮＡＶ情報を提供するための、したがって、直後に続く送信に対する保護を提供するための、送信要求／送信可（ＲＴＳ／ＣＴＳ）メッセージの使用を特定する。ＲＴＳ／ＣＴＳメカニズムは、衝突により引き起こされるオーバーヘッドを減らすのにも有用であることがある。ＲＴＳメッセージが、データの前に送信されて、かつ、衝突が起こった場合に、ＣＴＳメッセージが欠落し、これは、衝突イベントを識別することを可能にする。また、ＲＴＳメッセージは、典型的に、データよりもかなり短いメッセージであるので、衝突にかかる時間が短い。
【０００８】
ＲＴＳ／ＣＴＳメカニズムは、送信機に対して隠れていることがある隣接するネットワークによってＮＡＶが設定されていることを検出することも可能である。ＣＴＳメッセージが受信されない場合に、その理由は、ＲＴＳ受信機に対するＮＡＶが、ＲＴＳ受信機がＣＴＳメッセージによって返答することを妨げるように設定されていたためとすることができる。
【０００９】
ＩＥＥＥ８０２．１１ネットワーク中のマルチユーザＭＩＭＯ（ＭＵ−ＭＩＭＯ）送信は、同時送信に対してスケジュールされている複数のＳＴＡに向けられたデータを含んでもよい。このケースでは、ＭＵ−ＭＩＭＯ送信の効率的な保護が望まれる。
【概要】
【００１０】
本開示のある態様は、ワイヤレス通信のための装置を提供する。装置は、一般的に、データ通信用の媒体を予約するために、複数の装置に予約メッセージを送信するように構成されている送信機と、予約メッセージに応答して複数の装置のうちの２つ以上からチャネル上で同時に送信された複数の確認メッセージを、そのチャネル上で受信するように構成されている受信機とを具備し、送信機は、確認メッセージに応答して、媒体を通して、２つ以上の装置にデータを送信するようにも構成されており、確認メッセージは、実質的に同じ波形を含む。
【００１１】
本開示のある態様は、ワイヤレス通信のための方法を提供する。方法は、一般的に、データ通信用の媒体を予約するために、複数の装置に予約メッセージを送信することと、予約メッセージに応答して装置のうちの２つ以上からチャネル上で同時に送信された複数の確認メッセージを、そのチャネル上で受信することと、確認メッセージに応答して、媒体を通して、２つ以上の装置にデータを送信することとを含み、確認メッセージは、実質的に同じ波形を含む。
【００１２】
本開示のある態様は、ワイヤレス通信のための装置を提供する。装置は、一般的に、データ通信用の媒体を予約するために、複数の装置に予約メッセージを送信する手段と、予約メッセージに応答して複数の装置のうちの２つ以上からチャネル上で同時に送信された複数の確認メッセージを、そのチャネル上で受信する手段とを具備し、送信する手段は、確認メッセージに応答して、媒体を通して、２つ以上の装置にデータを送信するようにさらに構成されており、確認メッセージは、実質的に同じ波形を含む。
【００１３】
本開示のある態様は、ワイヤレス通信のためのコンピュータプログラムプロダクトを提供する。コンピュータプログラムプロダクトは、データ通信用の媒体を予約するために、複数の装置に予約メッセージを送信するように実行可能な命令と、予約メッセージに応答して装置のうちの２つ以上からチャネル上で同時に送信された複数の確認メッセージを、そのチャネル上で受信するように実行可能な命令と、確認メッセージに応答して、媒体を通して、２つ以上の装置にデータを送信するように実行可能な命令とを含むコンピュータ読取可能媒体を具備し、確認メッセージは、実質的に同じ波形を含む。
【００１４】
本開示のある態様は、アクセスポイントを提供する。アクセスポイントは、一般的に、少なくとも１つのアンテナと、データ通信用の媒体を予約するために、少なくとも１つのアンテナを介して、複数のアクセス端末に予約メッセージを送信するように構成されている送信機と、予約メッセージに応答してアクセス端末のうちの２つ以上からチャネル上で同時に送信された複数の確認メッセージを、少なくとも１つのアンテナを介して、そのチャネル上で受信するように構成されている受信機とを具備し、送信機は、確認メッセージに応答して、少なくとも１つのアンテナを介して、媒体を通して、２つ以上のアクセス端末にデータを送信するようにも構成されており、確認メッセージは、実質的に同じ波形を含む。
【００１５】
本開示のある態様は、ワイヤレス通信のための装置を提供する。装置は、一般的に、データ通信用の媒体を予約するために複数の装置に送信される予約メッセージを、複数の装置のうちの１つの装置において、受信するように構成されている受信機と、予約メッセージに応答して、複数の装置のうちの１つ以上から１つ以上の他の確認メッセージを送信することにより、確認メッセージを同時に送信するように構成されている送信機とを具備し、受信機は、装置に専用のデータを受信するようにも構成されており、送信されるすべての確認メッセージは、チャネル上で送信される実質的に同じ波形を含む。
【００１６】
本開示のある態様は、ワイヤレス通信のための方法を提供する。方法は、一般的に、データ通信用の媒体を予約するために複数の装置に送信される予約メッセージを、複数の装置のうちの１つの装置において、受信することと、予約メッセージに応答して、複数の装置のうちの１つ以上から１つ以上の他の確認メッセージを送信することにより、確認メッセージを同時に送信することと、装置に専用のデータを受信することとを含み、送信されるすべての確認メッセージは、チャネル上で送信される実質的に同じ波形を含む。
【００１７】
本開示のある態様は、ワイヤレス通信のための装置を提供する。装置は、一般的に、データ通信用の媒体を予約するために複数の装置に送信される予約メッセージを、複数の装置のうちの１つの装置において、受信する手段と、予約メッセージに応答して、複数の装置のうちの１つ以上から１つ以上の他の確認メッセージを送信することにより、確認メッセージを同時に送信する手段とを具備し、受信する手段は、装置に専用のデータを受信するようにさらに構成されており、送信されるすべての確認メッセージは、チャネル上で送信される実質的に同じ波形を含む。
【００１８】
本開示のある態様は、ワイヤレス通信のためのコンピュータプログラムプロダクトを提供する。コンピュータプログラムプロダクトは、データ通信用の媒体を予約するために複数の装置に送信される予約メッセージを、複数の装置のうちの１つの装置において、受信するように実行可能な命令と、予約メッセージに応答して、複数の装置のうちの１つ以上から１つ以上の他の確認メッセージを送信することにより、確認メッセージを同時に送信するように実行可能な命令と、装置に専用のデータを受信するように実行可能な命令とを含むコンピュータ読取可能媒体を具備し、送信されるすべての確認メッセージは、チャネル上で送信される実質的に同じ波形を含む。
【００１９】
本開示のある態様は、アクセス端末を提供する。アクセス端末は、一般的に、少なくとも１つのアンテナと、データ通信用の媒体を予約するために複数のアクセス端末に送信される予約メッセージを、少なくとも１つアンテナを介して、複数のアクセス端末のうちの１つのアクセス端末において、受信するように構成されている受信機と、予約メッセージに応答して、複数のアクセス端末のうちの１つ以上から１つ以上の他の確認メッセージを送信することにより、少なくとも１つアンテナを介して、確認メッセージを同時に送信するように構成されている送信機とを具備し、受信機は、少なくとも１つアンテナを介して、アクセス端末に専用のデータを受信するようにも構成されており、送信されるすべての確認メッセージは、チャネル上で送信される実質的に同じ波形を含む。
【図面の簡単な説明】
【００２０】
本開示の先に記載した特徴を詳細に理解できるように、先では簡単にまとめられているさらに特定の説明を、態様に対する参照によって得てもよく、態様のうちのいくつかは、添付した図面中で示されている。しかしながら、添付した図面は、本開示のある典型的な態様のみを示しており、それゆえ、その範囲を限定するものとして考えるべきでないことに留意すべきである。説明は、他の等しく有効な態様に適応できる余地があるためである。
【図１】図１は、本開示のある態様にしたがった、例示的なワイヤレス通信ネットワークを図示している。
【図２】図２は、本開示のある態様にしたがった、例示的なアクセスポイントおよびユーザ端末のブロックダイヤグラムを図示している。
【図３】図３は、本開示のある態様にしたがった、例示的なワイヤレスデバイスのブロックダイヤグラムを図示している。
【図４】図４は、本開示のある態様にしたがった、マルチユーザ複数入力複数出力（ＭＵ−ＭＩＭＯ）送信に先行する制御メッセージの第１の例示的な交換を図示している。
【図５】図５は、本開示のある態様にしたがった、アクセスポイントにおいて実行してもよい第１の例示的な動作を説明している。
【図５Ａ】図５Ａは、図５において説明されている動作を実行することが可能な例示的なコンポーネントを説明している。
【図６】図６は、本開示のある態様にしたがった、ユーザ局において実行してもよい第１の例示的な動作を説明している。
【図６Ａ】図６Ａは、図６において説明されている動作を実行することが可能な例示的なコンポーネントを説明している。
【図７】図７は、本開示のある態様にしたがった、ＭＵ−ＭＩＭＯ送信に先行する制御メッセージの第２の例示的な交換を図示している。
【図８】図８は、本開示のある態様にしたがった、アクセスポイントにおいて実行してもよい第２の例示的な動作を説明している。
【図８Ａ】図８Ａは、図８において説明されている動作を実行することが可能な例示的なコンポーネントを説明している。
【図９】図９は、本開示のある態様にしたがった、ユーザ局において実行してもよい第２の例示的な動作を説明している。
【図９Ａ】図９Ａは、図９において説明されている動作を実行することが可能な例示的なコンポーネントを説明している。
【図１０】図１０は、本開示のある態様にしたがった、ＭＵ−ＭＩＭＯ送信に先行する制御メッセージの第３の例示的な交換を図示している。
【図１１】図１１は、本開示のある態様にしたがった、ＭＵ−ＭＩＭＯ送信に先行する制御メッセージの第４の例示的な交換を図示している。
【図１２】図１２は、本開示のある態様にしたがった、ＭＵ−ＭＩＭＯ送信に先行する制御メッセージの第５の例示的な交換を図示している。
【図１３】図１３は、本開示のある態様にしたがった、アクセスポイントにおいて実行してもよい第３の例示的な動作を説明している。
【図１３Ａ】図１３Ａは、図１３において説明されている動作を実行することが可能な例示的なコンポーネントを説明している。
【図１４】図１４は、本開示のある態様にしたがった、ユーザ局において実行してもよい第３の例示的な動作を説明している。
【図１４Ａ】図１４Ａは、図１４において説明されている動作を実行することが可能な例示的なコンポーネントを説明している。
【詳細な説明】
【００２１】
本開示のある態様のさまざまな態様を以下で説明する。ここでの教示が、幅広いさまざまな形で具現化されてもよいことと、ここで開示している何らかの特定の構造、機能、または、その双方は、単に代表的なものに過ぎないことを正しく認識すべきである。ここでの教示に基づいて、ここで開示する態様は、他の何らかの態様から独立して実現されてもよいことと、これらの態様のうちの２つ以上をさまざまな方法で組み合わせてもよいこととを、当業者は正しく認識すべきである。例えば、ここで述べる任意の数の態様を使用して、装置が実現されてもよく、または、方法が実施されてもよい。加えて、ここで述べる態様のうちの１つ以上に加えて、または、ここで述べる態様のうちの１つ以上以外に、他の構造、機能性、あるいは、構造および機能性を使用して、このような装置が実現されてもよく、あるいは、このような方法が実施されてもよい。さらに、態様は、請求項の少なくとも１つのエレメントを含んでもよい。
【００２２】
“例として、事例として、あるいは実例として機能すること”を意味するために、“例示的な”という用語をここで使用する。“例示的な”ものとして、ここで説明するいずれの態様も、他の態様と比較して、必ずしも好ましいものとして、または、効果的なものとして解釈すべきではない。
【００２３】
特定の態様をここで説明するが、これらの態様の多くのバリエーションおよび置換が本開示の範囲内にある。好ましい態様の何らかの利益および利点を述べるが、本開示の範囲は、特定の利益、使用、または、目的に限定されることを意図していない。むしろ、本開示の態様は、異なるワイヤレス技術、システムコンフィギュレーション、ネットワーク、および、送信プロトコルに広く適用可能であるように意図されており、そのうちのいくつかは、一例として、図面中および好ましい態様の以下の説明中で示されている。詳細な説明および図は、限定ではなく、本開示の単なる例示であり、本開示の範囲は、添付の特許請求の範囲およびそれらの均等物により規定されている。
【００２４】
例示的なワイヤレス通信システム
ここで説明する技術は、直交多重化スキームに基づいている通信システムを含む、さまざまなブロードバンドワイヤレス通信システムに対して使用されてもよい。このような通信システムの例は、空間分割多元接続（ＳＤＭＡ）システム、時分割多元接続（ＴＤＭＡ）システム、直交周波数分割多元接続（ＯＦＤＭＡ）システム、単一搬送波周波数分割多元接続（ＳＣ−ＦＤＭＡ）システム等を含む。ＳＤＭＡシステムは、十分に異なる方向を利用して、複数のユーザ端末に属するデータを同時に送信してもよい。ＴＤＭＡシステムは、送信信号を、各タイムスロットが異なるユーザ端末に割り当てられている異なるタイムスロットに分割することにより、複数のユーザ端末が、同じ周波数チャネルを共有することを可能にしてもよい。ＯＦＤＭＡシステムは、システム全体の帯域幅を複数の直交サブキャリアに区分する変調技術である直交周波数分割多重化（ＯＦＤＭ）を利用する。これらのサブキャリアは、トーン、ビン等とも呼ぶことがある。ＯＦＤＭでは、各サブキャリアは、データにより個別に変調されてもよい。ＳＣ−ＦＤＭＡシステムは、インターリーブされたＦＤＭＡ（ＩＦＤＭＡ）を利用して、システム帯域幅にわたって分散されているサブキャリア上で送信してもよく、局所化されたＦＤＭＡ（ＬＦＤＭＡ）を利用して、隣り合ったサブキャリアのブロック上で送信してもよく、または、拡張されたＦＤＭＡ（ＥＦＤＭＡ）を利用して、隣り合ったサブキャリアの複数のブロック上で送信してもよい。一般に、変調シンボルは、ＯＦＤＭでは周波数ドメイン中で、および、ＳＣ−ＦＤＭＡでは時間ドメイン中で送られる。
【００２５】
ここでの教示は、さまざまなワイヤードまたはワイヤレスの装置（例えば、ノード）中に組み込まれてもよい（例えば、これらの装置内で実現されてもよく、または、これらの装置により実行されてもよい）。いくつかの態様では、ノードはワイヤレスノードを含む。このようなワイヤレスノードは、例えば、ワイヤードまたはワイヤレスの通信リンクを介しての、ネットワーク（例えば、インターネットのようなワイドエリアネットワークまたはセルラネットワーク）のための接続性あるいはネットワーク（例えば、インターネットのようなワイドエリアネットワークまたはセルラネットワーク）への接続性を提供してもよい。いくつかの態様では、ここでの教示にしたがって実現されるワイヤレスノードは、アクセスポイントまたはアクセス端末を含んでもよい。
【００２６】
アクセスポイント（“ＡＰ”）は、ノードＢ、無線ネットワーク制御装置（“ＲＮＣ”）、ｅノードＢ、基地局制御装置（“ＢＳＣ”）、基地トランシーバ局（“ＢＴＳ”）、基地局（“ＢＳ”）、トランシーバ機能（“ＴＦ”）、無線ルータ、無線トランシーバ、ベーシックサービスセット（“ＢＳＳ”）、拡張サービスセット（“ＥＳＳ”）、無線基地局（“ＲＢＳ”）、または、他の何らかの専門用語を含んでもよく、これらのものとして実現されてもよく、あるいは、これらのものとして知られてもよい。いくつかの構成では、アクセスポイントは、セットトップボックスキオスク、メディアセンター、あるいは、ワイヤレス媒体またはワイヤード媒体を介して通信するように構成されている他の何らかの適切なデバイスを含んでもよい。本開示の態様にしたがって、アクセスポイントは、米国電気電子学会（ＩＥＥＥ）８０２．１１ファミリーのワイヤレス通信標準規格にしたがって動作してもよい。
【００２７】
アクセス端末（“ＡＴ”）は、アクセス端末、加入者局、加入者ユニット、移動局、遠隔局、遠隔端末、ユーザ端末、ユーザエージェント、ユーザデバイス、ユーザ機器、ユーザ局、または、他の何らかの専門用語を含んでもよく、これらのものとして実現されてもよく、あるいは、これらのものとして知られてもよい。いくつかの構成では、アクセス端末は、セルラ電話機、コードレス電話機、セッション開始プロトコル（“ＳＩＰ”）電話機、ワイヤレスローカルループ（“ＷＬＬ”）局、パーソナルデジタルアシスタント（“ＰＤＡ”）、ワイヤレス接続能力を有するハンドヘルドデバイス、局（“ＳＴＡ”）、または、ワイヤレスモデムに接続されている他の何らかの適切な処理デバイスを含んでもよい。したがって、ここで教示する１つ以上の態様は、電話機（例えば、セルラ電話機またはスマートフォン）中に、コンピュータ（例えば、ラップトップ）中に、ポータブル通信デバイス中に、ポータブルコンピューティングデバイス（例えば、パーソナルデータアシスタント）中に、タブレット中に、エンターテインメントデバイス（例えば、音楽またはビデオのデバイス、あるいは、衛星ラジオ）中に、テレビジョンディスプレイ中に、フリップカメラ中に、セキュリティビデオカメラ中に、デジタルビデオレコーダ（ＤＶＲ）中に、グローバルポジショニングシステムデバイス中に、あるいは、ワイヤレスまたはワイヤードの媒体を介して通信するように構成されている他の何らかの適切なデバイス中に、組み込まれてもよい。本開示の態様にしたがって、アクセス端末は、ＩＥＥＥ８０２．１１ファミリーのワイヤレス通信標準規格にしたがって動作してもよい。
【００２８】
図１は、アクセスポイントとユーザ端末とを持つ多元接続複数入力複数出力（ＭＩＭＯ）システム１００を図示している。簡潔さのために、図１では、１つのアクセスポイント１１０のみが示されている。アクセスポイントは、一般的に、ユーザ端末と通信する固定局であり、基地局または他の何らかの専門用語と呼ぶこともある。ユーザ端末は、固定または移動性のものであってもよく、移動局、ワイヤレスデバイス、または、他の何らかの専門用語と呼ぶこともある。アクセスポイント１１０は、何らかの所定の瞬間において、ダウンリンク上およびアップリンク上で、１つ以上のユーザ端末１２０と通信してもよい。ダウンリンク（すなわち、フォワードリンク）は、アクセスポイントからユーザ端末への通信リンクであり、アップリンク（すなわち、リバースリンク）は、ユーザ端末からアクセスポイントへの通信リンクである。ユーザ端末はまた、別のユーザ端末とピア・ツー・ピアで通信してもよい。システム制御装置１３０は、アクセスポイントに結合され、アクセスポイントに対して調整と制御とを提供する。
【００２９】
以下の開示の一部は、空間分割多元接続（ＳＤＭＡ）により通信することが可能なユーザ端末１２０を説明しているが、ある実施形態に対して、ユーザ端末１２０は、ＳＤＭＡをサポートしていない何らかのユーザ端末も含んでもよい。したがって、このような実施形態に対して、ＳＤＭＡユーザ端末および非ＳＤＭＡユーザ端末の双方と通信するようにＡＰ１１０が構成されていてもよい。都合のよいことに、このアプローチにより、古いバージョンのユーザ端末（“レガシー”局）を企業で採用し続けることが可能になり、それらの有効寿命が伸びる一方で、適切であると思われるときには、より新しいＳＤＭＡユーザ端末を導入することが可能になる。
【００３０】
システム１００は、データ送信のために、ダウンリンク上およびアップリンク上で、複数の送信アンテナと複数の受信アンテナとを用いる。アクセスポイント１１０には、Ｎap本のアンテナが装備され、アクセスポイント１１０は、ダウンリンク送信に対する複数入力（ＭＩ）と、アップリンク送信に対する複数出力（ＭＯ）とを表す。１組のＫ個の選択されたユーザ端末１２０は、集合的に、ダウンリンク送信に対する複数出力と、アップリンク送信に対する複数入力とを表す。純粋なＳＤＭＡに対して、何らかの手段により、Ｋ個のユーザ端末に対するデータシンボルストリームが、コードで、周波数で、または、時間で多重化されていない場合に、Ｎap≧Ｋ≧１を有することが望ましい。ＴＤＭＡ技術を使用して、ＣＤＭＡでは異なるコードチャネルを使用して、ＯＦＤＭでは互いに素な集合のサブバンドを使用する等して、データシンボルストリームを多重化できる場合に、Ｋは、Ｎapよりも大きいことがある。各選択されたユーザ端末は、アクセスポイントに対して、ユーザ固有のデータを送信し、および／または、アクセスポイントから、ユーザ固有のデータを受信する。一般に、各選択されたユーザ端末には、１つまたは複数のアンテナ（すなわち、Ｎut≧１）が装備されていてもよい。Ｋ個の選択されたユーザ端末は、同じ数のアンテナまたは異なる数のアンテナを有することができる。
【００３１】
ＳＤＭＡシステム１００は、時分割複信（ＴＤＤ）システムまたは周波数分割複信（ＦＤＤ）システムであってもよい。ＴＤＤシステムに対して、ダウンリンクとアップリンクは、同じ周波数帯域を共有する。ＦＤＤシステムに対して、ダウンリンクとアップリンクは、異なる周波数帯域を使用する。ＭＩＭＯシステム１００はまた、送信のために、単一の搬送波または複数の搬送波を利用してもよい。各ユーザ端末には、（例えば、コストを低く抑えるために）単一のアンテナが装備されていてもよく、または、（例えば、付加的なコストをサポートできる場合には）複数のアンテナが装備されていてもよい。送信／受信を、各タイムスロットが異なるユーザ端末１２０に割り当てられている異なるタイムスロットに分割することにより、ユーザ端末１２０が同じ周波数チャネルを共有する場合に、システム１００は、ＴＤＭＡシステムでもあってもよい。
【００３２】
本開示のある態様にしたがって、付随するワイヤレス媒体を通るダウンリンクマルチユーザ送信を保護するために、アクセスポイント１１０と、ユーザ端末１２０のうちの１つ以上との間で、１つ以上の制御メッセージが交換されてもよい。交換される制御メッセージは、アクセスポイントに見えないノード（すなわち、隠れノード）にネットワークアロケーションベクトル（ＮＡＶ）情報を提供する、送信要求（ＲＴＳ）メッセージまたは送信可（ＣＴＳ）メッセージのうちの少なくとも１つを含んでいてもよく、ＮＡＶ情報は、媒体がその間ビジーになるだろう時間の表示を含んでもよい。このメカニズムは、データ送信の間の衝突の可能性を減少させることができる。
【００３３】
図２は、ＭＩＭＯシステム１００中の、アクセスポイント１１０と２つのユーザ端末１２０ｍおよび１２０ｘとのブロックダイヤグラムを図示している。アクセスポイント１１０には、Ｎt本のアンテナ２２４ａないし２２４ｔが装備されている。ユーザ端末１２０ｍには、Ｎut,m本のアンテナ２５２ｍａないし２５２ｍｕが装備されており、ユーザ端末１２０ｘには、Ｎut,x本のアンテナ２５２ｘａないし２５２ｘｕが装備されている。アクセスポイント１１０は、ダウンリンクリンクに対しては送信エンティティであり、アップリンクに対しては受信エンティティである。各ユーザ端末１２０は、アップリンクに対しては送信エンティティであり、ダウンリンクに対しては受信エンティティである。ここで使用するような“送信エンティティ”は、ワイヤレスチャネルを介してデータを送信することが可能な、独立して動作する装置またはデバイスであり、“受信エンティティ”は、ワイヤレスチャネルを介してデータを受信することが可能な、独立して動作する装置またはデバイスである。以下の説明では、下付き文字“ｄｎ”は、ダウンリンクを示し、下付き文字“ｕｐ”は、アップリンクを示し、Ｎup個のユーザ端末が、アップリンク上での同時送信に対して選択され、Ｎdn個のユーザ端末が、ダウンリンク上での同時送信に対して選択され、Ｎupは、Ｎdnに等しくてもよく、または、等しくなくてもよく、ＮupおよびＮdnは、静的な値であってもよく、あるいは、各スケジューリング間隔の間に変化することがある。アクセスポイントならびにユーザ端末において、ビームステアリングまたは他の何らかの空間処理技術が使用されてもよい。
【００３４】
アップリンク上では、アップリンク送信に対して選択された各ユーザ端末１２０において、ＴＸデータプロセッサ２８８が、データソース２８６からトラフィックデータを受け取り、制御装置２８０から制御データを受け取る。ＴＸデータプロセッサ２８８は、ユーザ端末に対して選択されているレートに関係するコーディングおよび変調スキームに基づいて、ユーザ端末に対するトラフィックデータを処理し（例えば、エンコードし、インターリーブし、および変調し）、データシンボルストリームを提供する。ＴＸ空間プロセッサ２９０は、データシンボルストリーム上で空間処理を実行し、Ｎut,m本のアンテナに対してＮut,m個の送信シンボルストリームを提供する。各送信機ユニット（ＴＭＴＲ）２５４は、それぞれの送信シンボルストリームを受け取って処理して（例えば、アナログへとコンバートして、増幅して、フィルタリングして、および、周波数アップコンバートして）、アップリンク信号を発生させる。Ｎut,m台の送信機ユニット２５４は、Ｎut,m本のアンテナ２５２からアクセスポイントへの送信に対して、Ｎut,m個のアップリンク信号を提供する。
【００３５】
アップリンク上での同時送信に対して、Ｎup個のユーザ端末をスケジュールしてもよい。これらのユーザ端末のそれぞれは、そのデータシンボルストリーム上で空間処理を実行し、その組の送信シンボルストリームをアップリンク上でアクセスポイントに送信する。
【００３６】
アクセスポイント１１０において、Ｎap本のアンテナ２２４ａないし２２４ａｐは、アップリンク上で送信するすべてのＮup個のユーザ端末からのアップリンク信号を受信する。各アンテナ２２４は、それぞれの受信機ユニット（ＲＣＶＲ）２２２に対して、受信した信号を提供する。各受信機ユニット２２２は、送信機ユニット２５４により実行される処理と相補的な処理を実行し、受信したシンボルストリームを提供する。ＲＸ空間プロセッサ２４０は、Ｎap台の受信機ユニット２２２からのＮap個の受信したシンボルストリーム上で、受信機空間処理を実行し、Ｎup個の復元したアップリンクデータシンボルストリームを提供する。チャネル相関マトリックス逆変換（ＣＣＭＩ）、最小平均二乗誤差（ＭＭＳＥ）、ソフト干渉消去（ＳＩＣ）、または、他の何らかの技術にしたがって、受信機空間処理が実行される。各復元したアップリンクデータシンボルストリームは、それぞれのユーザ端末により送信されたデータシンボルストリームの推定である。ＲＸデータプロセッサ２４２は、そのストリームに対して使用されているレートにしたがって、各復元したアップリンクデータシンボルストリームを処理して（例えば、復調して、デインターリーブして、および、デコードして）、デコードしたデータを取得する。各ユーザ端末に対するデコードしたデータを、記憶のためにデータシンク２４４に提供してもよく、および／または、さらなる処理のために制御装置２３０に提供してもよい。
【００３７】
ダウンリンク上では、アクセスポイント１１０において、ＴＸデータプロセッサ２１０が、ダウンリンク送信に対してスケジュールされているＮdn個のユーザ端末に対するトラフィックデータをデータソース２０８から受け取り、制御装置２３０から制御データを受け取り、場合によっては、スケジューラ２３４から他のデータを受け取る。さまざまなタイプのデータが、異なるトランスポートチャネル上で送られてもよい。ＴＸデータプロセッサ２１０は、そのユーザ端末に対して選択されているレートに基づいて、各ユーザ端末に対するトラフィックデータを処理する（例えば、エンコードする、インターリーブする、および、変調する）。ＴＸデータプロセッサ２１０は、Ｎdn個のユーザ端末に対するＮdn個のダウンリンクデータシンボルストリームを提供する。ＴＸ空間プロセッサ２２０は、Ｎdn個のダウンリンクデータシンボルストリーム上で（本開示で説明するようなプリコーディングまたはビームフォーミング等の）空間処理を実行し、Ｎap本のアンテナに対してＮap個の送信シンボルストリームを提供する。各送信機ユニット（ＴＭＴＲ）２２２は、それぞれの送信シンボルストリームを受け取って処理し、ダウンリンク信号を発生させる。Ｎap台の送信機ユニット２２２は、Ｎap本のアンテナ２２４からユーザ端末への送信に対して、Ｎap個のダウンリンク信号を提供する。
【００３８】
各ユーザ端末１２０において、Ｎut,m本のアンテナ２５２は、アクセスポイント１１０からＮap個のダウンリンク信号を受信する。各受信機ユニット２５４は、関係付けられているアンテナ２５２からの受信信号を処理し、受信したシンボルストリームを提供する。ＲＸ空間プロセッサ２６０は、Ｎut,m台の受信機ユニット２５４からのＮut,m個の受信したシンボルストリーム上で受信機空間処理を実行し、ユーザ端末に対する復元したダウンリンクデータシンボルストリームを提供する。ＣＣＭＩ、ＭＭＳＥ、または、他の何らかの技術にしたがって、受信機空間処理が実行される。ＲＸデータプロセッサ２７０は、復元したダウンリンクデータシンボルストリームを処理して（例えば、復調して、デインターリーブして、および、デコードして）、ユーザ端末に対するデコードしたデータを取得する。
【００３９】
各ユーザ端末１２０において、チャネル推定器２７８は、ダウンリンクチャネル応答を推定して、ダウンリンクチャネル推定を提供する。ダウンリンクチャネル推定は、チャネル利得推定、ＳＮＲ推定、ノイズ分散等を含んでもよい。同様に、チャネル推定器２２８は、アップリンクチャネル応答を推定して、アップリンクチャネル推定を提供する。各ユーザ端末に対する制御装置２８０は、典型的に、そのユーザ端末に対するダウンリンクチャネル応答マトリックスＨdn,mに基づいて、ユーザ端末に対する空間フィルタマトリックスを導出する。制御装置２３０は、有効なアップリンクチャネル応答マトリックスＨup,effに基づいて、アクセスポイントに対する空間フィルタマトリックスを導出する。各ユーザ端末に対する制御装置２８０は、アクセスポイントにフィードバック情報（例えば、ダウンリンクおよび/またはアップリンクの固有ベクトル、固有値、ＳＮＲ推定等）を送ってもよい。制御装置２３０および２８０はまた、アクセスポイント１１０およびユーザ端末１２０におけるさまざまな処理ユニットの動作をそれぞれ制御する。
【００４０】
本開示のある態様にしたがって、後に続くダウンリンクマルチユーザ送信を保護するために、アクセスポイント１１０のトランシーバ２２２と、ユーザ端末１２０のトランシーバ２５４との間で、１つ以上の制御メッセージが交換されてもよい。先述したように、交換される制御メッセージは、ワイヤレス通信システム１００の隠れノードにＮＡＶ情報を提供する、ＲＴＳメッセージまたはＣＴＳメッセージのうちの少なくとも１つを含んでいてもよい。
【００４１】
図３は、ワイヤレス通信システム１００内で用いてもよいワイヤレスデバイス３０２中で利用してもよいさまざまなコンポーネントを図示している。ワイヤレスデバイス３０２は、ここで説明するさまざまな方法を実現するように構成されていてもよいデバイスの例である。ワイヤレスデバイス３０２は、基地局１０４またはユーザ端末１０６であってもよい。
【００４２】
ワイヤレスデバイス３０２は、ワイヤレスデバイス３０２の動作を制御するプロセッサ３０４を備えていてもよい。プロセッサ３０４は、中央処理ユニット（ＣＰＵ）と呼ぶこともある。リードオンリーメモリ（ＲＯＭ）とランダムアクセスメモリ（ＲＡＭ）の双方を含んでもよいメモリ３０６は、プロセッサ３０４に命令およびデータを提供する。メモリ３０６の一部は、不揮発性ランダムアクセスメモリ（ＮＶＲＡＭ）も含んでもよい。プロセッサ３０４は、典型的に、メモリ３０６内に記憶されているプログラム命令に基づく論理的動作および算術動作を実行する。メモリ３０６中の命令は、ここで説明する方法を実現するように実行可能であってもよい。
【００４３】
ワイヤレスデバイス３０２はまた、ワイヤレスデバイス３０２と遠隔ロケーションとの間でのデータの送受信を可能にする送信機３１０および受信機３１２を備えていてもよいハウジング３０８を備えていてもよい。送信機３１０および受信機３１２は、組み合わせて、トランシーバ３１４にしてもよい。単数または複数の送信アンテナ３１６は、ハウジング３０８に取り付けられていてもよく、トランシーバ３１４に電気的に結合されていてもよい。ワイヤレスデバイス３０２はまた、（示されていない）複数の送信機と、複数の受信機と、複数のトランシーバとを備えていてもよい。
【００４４】
ワイヤレスデバイス３０２はまた、トランシーバ３１４により受信した信号のレベルを検出して、定量化するために使用してもよい信号検出器３１８を備えていてもよい。信号検出器３１８は、総エネルギー、シンボルごとのサブキャリア当たりのエネルギー、電力スペクトル密度、および、他の信号のような、信号を検出してもよい。ワイヤレスデバイス３０２は、信号を処理するのに使用するためのデジタル信号プロセッサ（ＤＳＰ）３２０も備えていてもよい。
【００４５】
本開示のある態様にしたがって、後に続くダウンリンクマルチユーザ送信の保護のために、ワイヤレスデバイス３０２と、（図３において示されていない）１つ以上の他のワイヤレスデバイスとの間で、１つ以上の制御メッセージが交換されてもよい。先述したように、交換される制御メッセージは、ワイヤレスデバイス３０２を含むワイヤレス通信システム１００中の隠れノードにＮＡＶ情報を提供する、ＲＴＳメッセージまたはＣＴＳメッセージのうちの少なくとも１つを含んでいてもよい。
【００４６】
ワイヤレスデバイス３０２のさまざまなコンポーネントは、バスシステム３２２により互いに結合されていてもよい。バスシステム３２２は、データバスに加えて、電力バス、制御信号バス、および、ステータス信号バスを含んでもよい。
【００４７】
ＳＤＭＡ、ＯＦＤＭＡ、ＣＤＭＡ、ＳＣ−ＦＤＭＡ、および、これらの組み合わせのような、任意のタイプの多元接続スキームを利用するシステム中で、ここで説明する技術を一般的に適用してもよいことを、当業者は認識するだろう。
【００４８】
ＩＥＥＥ８０２．１１に基づく次世代ワイヤレスローカルエリアネットワーク（ＷＬＡＮ）システムでは、アクセスポイント（ＡＰ）（例えば、図１からのアクセスポイント１１０）は、例えば、ダウンリンク空間分割多元接続（ＤＬ−ＳＤＭＡ）に基づくマルチユーザ複数入力複数出力（ＭＵ−ＭＩＭＯ）送信スキームを使用して、複数の局（ＳＴＡ）に（例えば、図１からのユーザ端末１２０に）同時にデータを送信してもよい。しかしながら、このような送信の前に、ＡＰは、データ通信用の媒体を予約するために、複数のＳＴＡに送信要求（ＲＴＳ）メッセージを送信してもよい。ＡＰから送られたＲＴＳメッセージをヒアリングできない他のＳＴＡ（すなわち、これらの他のＳＴＡは、隠れノードを表してもよい）から、複数のＳＴＡを保護すべき場合に、複数のＳＴＡは、送信可（ＣＴＳ）メッセージにより応答するように要求されてもよい。
【００４９】
マルチユーザＭＩＭＯ送信に対する保護メカニズム
本開示のある態様は、ダウンリンクデータパケットを送信する前に、ＡＰと、サポートされているユーザＳＴＡとの間で交換される適切な制御メッセージを使用することにより、ＭＵ−ＭＩＭＯ送信を保護するための複数のメカニズムをサポートする。
【００５０】
本開示のある態様では、ＡＰから送信されるＲＴＳメッセージ中でアドレス指定されている複数のＳＴＡは、ＣＴＳメッセージを同時に送信するように構成されていてもよい。このような同時に送信されたＣＴＳメッセージを、１つ以上の他のＳＴＡ（例えば、隠れノード）において、確実に正しくデコードできるように、送信ＳＴＡのそれぞれが生成させる物理レイヤ波形が、実質的に同じである必要があることがある。ＲＴＳメッセージ中でアドレス指定されているＳＴＡのそれぞれにおいて、実質的に同じ波形を発生させるプロセスは、いくつかの態様を含んでもよい。
【００５１】
１つの態様では、ＲＴＳメッセージ中でアドレス指定されているすべてのＳＴＡから送信されたすべてのＣＴＳメッセージが、確実に、まさに同じビットを含むように要求されてもよい。ＣＴＳメッセージの可変部分のみが、宛先アドレスを含むことができることから、ＩＥＥＥ８０２．１１においてこのことを確実に行うことができ、それぞれの同時に送信されたＣＴＳメッセージは、同じＡＰに送信され、それゆえ、同じＡＰの宛先アドレスを搬送することができる。さらに、無線ＣＴＳ送信の前に、同一の変調およびコーディングスキームが、各ＳＴＡにおいて利用される必要があることがある。ＩＥＥＥ８０２．１１では、ＣＴＳメッセージのそれぞれは、ＡＰにより特定されたベーシックレートにおいて通信されてもよいことから、このことを確実に行うことができる。
【００５２】
別の態様では、無線ＣＴＳ送信の前にエンコーディングおよびスクランブリングする物理レイヤプロセスが、確実に、同じビットを発生させるように要求されてもよい。ＩＥＥＥ８０２．１１では、各ＳＴＡは、それ自体のスクランブリングシーケンスを選んでもよい。それゆえ、ＲＴＳメッセージに応答して複数のＳＴＡにおいて発生されるすべてのＣＴＳメッセージを、同じスクランブリングシーケンスを使用してスクランブリングできるように、追加の仕様が追加される必要があることがある。
【００５３】
図４は、本開示のある態様にしたがった、ＭＵ−ＭＩＭＯ通信に対する積み重ねられたＣＴＳメッセージによる、例示的な送信要求／送信可（ＲＴＳ／ＣＴＳ）ベースの媒体予約プロトコル４００を図示している。アクセスポイント（ＡＰ）４０２は、複数のＳＴＡをアドレス指定するグループアドレスを含む、ＲＴＳメッセージ４０６を送信してもよい。その後、ダウンリンクＭＵ−ＭＩＭＯ送信を受信できる、ＡＰ４０２によってアドレス指定されたＳＴＡ（例えば、ＳＴＡ４０４1、４０４2、４０４3）のサブセットまたはすべてが、ＲＴＳメッセージ４０６を受信した後にＳＩＦＳ（短フレーム間隔）時間期間４１０を開始するＣＴＳ送信４０８により、同時に応答してもよい。同時に送信されるＣＴＳメッセージ４０８の持続時間フィールドは、例えば、ＲＴＳメッセージ４０６により特定された持続時間フィールドにしたがって、設定されてもよい。
【００５４】
本開示のある態様では、ＳＴＡ４０４1〜４０４3から同時に送信されるときに、ＣＴＳメッセージ４０８が、実質的に同じ波形を確実に含むように、ＡＰ４０２は、管理フレーム中で１つ以上のパラメータを特定してもよい。管理メッセージは、ＡＰ４０２から送信されてもよく、ＲＴＳメッセージ４０６によってアドレス指定されている複数のＳＴＡにおいて、ＣＴＳメッセージ４０８を同時に送信する前に、受信されてもよい。管理メッセージ中の特定されたパラメータのうちの１つは、ＣＴＳメッセージ４０８を送信する前にＳＴＡ４０４1〜４０４3のそれぞれにおいて適用されるスクランブリングシーケンスを示してもよい。すべてのＳＴＡにおいて適用されるスクランブリングシーケンスは、（例えば、ＩＥＥＥ８０２．１１標準規格団体によって）予め定められていてもよく、ＣＴＳメッセージを送信するときに使用される各ＳＴＡにおいて記憶されていてもよい。
【００５５】
ＡＰ４０２は、ＡＰ４０２が、ＳＴＡ４０４1〜４０４3からＣＴＳメッセージ４０８を受信した後に、ダウンリンクＭＵ−ＭＩＭＯ送信４１２を開始してもよい。同じ波形であるために、複数のＳＴＡから送信されるＣＴＳメッセージ４０８は、予約された媒体をリスニングしている１つ以上の他のＳＴＡにおいて、単一の物理レイヤフレームとして現れることがある。それゆえ、これらの他のＳＴＡは、ＣＴＳメッセージ４０８を正確にデコードして、その後、デコードしたＣＴＳメッセージの持続時間フィールド値にしたがって、それらのネットワークアロケーションベクトル（ＮＡＶ）カウンターを適切に設定できる。
【００５６】
ある態様では、ＣＴＳメッセージ４０８のそれぞれは、ＲＴＳメッセージ４０６中で特定されているような異なる空間ストリーム上で送信されてもよい。別の態様では、ＳＴＡのいずれも、ＲＴＳメッセージ４０６に応答してＣＴＳメッセージを送信しない場合に、ＡＰ４０２は、プロトコル４００を終了させてもよく、電力をセーブするために、バックオフ状態に入ってもよい。
【００５７】
ある態様では、ＲＴＳメッセージ４０６を受信する複数のＳＴＡ（例えば、ＳＴＡ４０４1〜４０４3）は、ＣＴＳメッセージにより返答するようにそれらが要求されていることを知る必要があることがある。ＮＡＶは、任意のデータフレームによって設定されてもよいことから、例えば、ＲＴＳメッセージ４０６を送信するために、通常のアクションフレームを利用してもよい。単一のＲＴＳメッセージの送信は、ＮＡＶ打切りという利点も有していてもよい。ＣＴＳメッセージ４０８を受信するＡＰ４０２は、どのＳＴＡがＣＴＳメッセージ４０８を送信したのか知らないことがある。ＳＴＡのうちの１つがＣＴＳメッセージを送信する限り、ＡＰは、衝突がなかったと仮定できる。
【００５８】
図５は、本開示のある態様にしたがった、アクセスポイントにおいて（例えば、図４からのアクセスポイント４０２において）実行してもよい例示的な動作５００を説明している。５０２において、アクセスポイントは、データ通信用の媒体を予約するために、複数のユーザ局（例えば、図４からのＳＴＡ４０４1〜４０４3）に予約メッセージを送信してもよい。５０４において、アクセスポイントは、予約メッセージに応答して、ユーザ局のうちの２つ以上からチャネル上で同時に送信された複数の確認メッセージを、そのチャネル上で受信してもよい。確認メッセージは、実質的に同じ波形を含んでもよい。５０６において、確認メッセージに応答して、アクセスポイントは、媒体を通して２つ以上のユーザ局にデータを送信してもよい。ある態様では、２つ以上のユーザ局に送信されるデータは、マルチユーザ複数入力複数出力超高スループット物理レイヤコンバージェンスプロシージャプロトコルデータユニット（ＭＵ−ＭＩＭＯ ＶＨＴ ＰＰＤＵ）を含んでもよい。
【００５９】
ある態様では、予約メッセージは、ＩＥＥＥ８０２．１１送信要求（ＲＴＳ）メッセージフォーマットと実質的に同じフォーマットを有していてもよい。さらに、同時に送信される確認メッセージのそれぞれは、ＩＥＥＥ８０２．１１送信可（ＣＴＳ）メッセージフォーマットと実質的に同じフォーマットを有していてもよい。
【００６０】
図６は、本開示のある態様にしたがった、ユーザ局において（例えば、図４からのＳＴＡ４０４1〜４０４3のうちの１つにおいて）実行してもよい例示的な動作６００を説明している。６０２において、複数のユーザ局のうちの１つのユーザ局は、データ通信用の媒体を予約するために複数のユーザ局に送信された予約メッセージを受信してもよい。６０４において、予約メッセージに応答して、ユーザ局は、ユーザ局のうちの１つ以上から１つ以上の他の確認メッセージを送信することにより、確認メッセージを同時に送信してもよい。送信されるすべての確認メッセージは、チャネル上で送信される実質的に同じ波形を含んでもよい。６０６において、ユーザ局は、その局に専用のデータを受信してもよい。
【００６１】
ある態様では、受信した予約メッセージは、ユーザ局のマルチキャストグループアドレスを含むＲＴＳメッセージを含んでもよい。ユーザ局のそれぞれは、送信されることになるデータが、その特定のユーザ局に対してアドレス指定されていることを、マルチキャストグループアドレスに基づいて識別してもよい。
【００６２】
先述のスキームを有効にするために、ＭＵ−ＭＩＭＯデータを受信するだろうＳＴＡを取り込んだグループアドレスを割り当てることが要求されてもよい。グループアドレスが、多すぎるＳＴＡを含んでいる場合に、データが送られることになるＳＴＡ（例えば、図４からのＳＴＡ４０４1〜４０４3）における状態を区別することが可能でないかもしれないことに留意すべきである。
【００６３】
本開示の１つの態様では、ＡＰは、ＳＴＡの所定のサブセットに対して一意的なグループアドレスを構築してもよい。その後、ＡＰは、ＲＴＳメッセージを送信する前に、管理フレームを使用して、ＳＴＡのサブセットにグループアドレスを通信してもよい。ＳＴＡのサブセットからの各ＳＴＡは、一意的なグループアドレスを含む管理フレームを受信してもよく、ＡＰから送信されることになるデータが、その特定のＳＴＡに対してアドレス指定されていることを、一意的なグループアドレスに基づいて識別してもよい。
【００６４】
本開示の別の態様では、ＡＰは、例えば、既知のハッシュ関数を使用して、ＳＴＡの所望の組の媒体アクセス制御（ＭＡＣ）アドレスまたはアソシエーション識別子（ＩＤ）を、グループＭＡＣアドレスにマッピングしてもよい。ＲＴＳメッセージを送信する前に、ＡＰによって、管理メッセージ内で、ＳＴＡの組にグループＭＡＣアドレスが送信されてもよい。その後、グループＭＡＣアドレスを持つ管理メッセージを受信するＳＴＡの組からの１つのＳＴＡは、既知のハッシュ関数の逆マッピング（デマッピング）を使用して、グループＭＡＣアドレスが、実際にそのＳＴＡをアドレス指定しているか否かを決定してもよい（すなわち、そのＳＴＡの識別子を取得してもよい）。このようなハッシュ関数は、ＳＴＡに対してアドレス指定されているデータを含むそのようなＳＴＡを除くすべてのＳＴＡを除外するのに十分、制限的である必要があるかもしれないことに留意すべきである。
【００６５】
本開示の別の態様では、ＡＰならびに複数のＳＴＡは、シーケンシャルに送信される複数のＲＴＳメッセージおよびＣＴＳメッセージを交換してもよい。図７は、本開示のある態様にしたがった、ＭＵ−ＭＩＭＯ通信のためのＲＴＳメッセージおよびＣＴＳメッセージのシーケンシャルな送信による、例示的なＲＴＳ／ＣＴＳベースの媒体予約プロトコル７００を図示している。
【００６６】
図７において図示されているように、ＡＰ７０２は、ＳＴＡ７０４1にＲＴＳメッセージ７０６を送信してもよい。その後、ＳＴＡ７０４1は、ＲＴＳメッセージ７０６を受信した後に、ＳＩＦＳ時間を開始してもよいＣＴＳ送信７０８により、応答してもよい。その後、ＡＰ７０２は、別のＳＴＡ７０４2にＲＴＳメッセージ７１０を送信してもよく、ＳＴＡ７０４2は、ＣＴＳ送信７１２により応答してもよい。これに続いて、ＡＰ７０２は、第３のＳＴＡ７０４3にＲＴＳメッセージ７１４を送信してもよく、ＳＴＡ７０４3は、ＣＴＳ送信７１６により応答してもよい。いったん、ＡＰ７０２と、ＳＴＡ７０４1、７０４2、７０４3との間で制御メッセージ７０６〜７１６が交換されると、すべてのＳＴＡ７０４1〜７０４3に対して媒体を予約できる。その後、ＡＰ７０２は、ＳＴＡ７０４1〜７０４3に対するダウンリンクＭＵ−ＭＩＭＯ送信７１８を開始してもよい。
【００６７】
図８は、本開示のある態様にしたがった、ＡＰにおいて（例えば、図７からのＡＰ７０２において）実行してもよい例示的な動作８００を説明している。８０２において、ＡＰは、１つ以上の予約メッセージを送信してもよく、１つ以上の予約メッセージのそれぞれは、データ通信用の媒体を予約するために、複数のＳＴＡのそれぞれのＳＴＡに向けられている。８０４において、ＡＰは、１つ以上の確認メッセージを受信してもよく、１つ以上の確認メッセージのそれぞれは、その予約メッセージに応答して、それぞれのＳＴＡから送信されたものである。８０６において、１つ以上の確認メッセージに応答して、ＡＰは、媒体を通してＳＴＡにデータを送信してもよい。ある態様では、ＳＴＡに送信されるデータは、ＭＵ−ＭＩＭＯ ＶＨＴ ＰＰＤＵを含んでもよい。
【００６８】
ある態様では、予約メッセージはシーケンシャルに送信されてもよく、確認メッセージも同様にシーケンシャルに送信されてもよい。さらに、図７において図示されているように、予約メッセージのそれぞれの送信は、確認メッセージのそれぞれのものの送信の直前に起こってもよい。
【００６９】
図９は、本開示のある態様にしたがった、ＳＴＡにおいて実行してもよい例示的な動作９００を説明している。９０２において、複数のＳＴＡのうちの１つのＳＴＡは、１つ以上の予約メッセージからの１つの予約メッセージを受信してもよく、１つ以上の予約メッセージのそれぞれは、データ通信用の媒体を予約するために、ＳＴＡのそれぞれのＳＴＡに向けられている。９０４において、ＳＴＡは、予約メッセージに応答して、確認メッセージを送信してもよい。９０６において、ＳＴＡは、そのＳＴＡに専用のデータを受信してもよく、データは、媒体を通して送信される。
【００７０】
ある態様では、ＳＴＡは、確認メッセージをいつ送信するかを決定するために、複数のＳＴＡのうちの１つ以上の他のＳＴＡから以前に送信された１つ以上の他の確認メッセージの数をカウントするように構成されていてもよい。さらに、ＳＴＡは、１つ以上の他の確認メッセージを検出できることがある。１つの態様では、確認メッセージは、予約メッセージを受信した直後に送信されてもよい。別の態様では、確認メッセージは、予約メッセージ中で特定されているスケジュールされた時間にしたがって、送信されてもよい。
【００７１】
図１０は、本開示のある態様にしたがった、ＭＵ−ＭＩＭＯ通信を保護するための、単一のＲＴＳ送信とＣＴＳメッセージのシーケンシャルな送信とによる、例示的なＲＴＳ／ＣＴＳベースの媒体予約プロトコル１０００を図示している。図１０において図示されているように、ＡＰ１００２は、複数のＳＴＡ１００４1、１００４2、１００４3にＲＴＳメッセージ１００６（例えば、ブロードキャストメッセージ）を送信してもよい。その後、ＳＴＡ１００４1は、ＣＴＳ送信１００８により応答してもよく、その後に、ＳＴＡ１００４2からのＣＴＳ送信１０１０と、ＳＴＡ１００４3からのＣＴＳ送信１０１２とが続く。
【００７２】
いったん、ＡＰ１００２と、ＳＴＡ１００４1〜１００４3との間で制御メッセージ１００６、１００８、１０１０および１０１２が交換されると、すべてのＳＴＡ１００４1〜１００４3に対して媒体を予約できる。その後、ＡＰ１００２は、ＳＴＡ１００４1〜１００４3に対するダウンリンクＭＵ−ＭＩＭＯ送信１０１４を開始してもよい。
【００７３】
図１１は、本開示のある態様にしたがった、ＭＵ−ＭＩＭＯ通信のための、ＲＴＳの単一の送信とＣＴＳの単一の送信とによる、例示的なＲＴＳ／ＣＴＳベースの媒体予約プロトコル１１００を図示している。図１１において図示されているように、ＡＰ１１０２は、データ通信用の媒体を予約するために、ＳＴＡ１１０４1、１１０４2、１１０４3のうちの１つに（例えば、ＳＴＡ１１０４1に）ＲＴＳメッセージ１１０６を送信してもよい。その後、ＳＴＡ１１０４1は、ＣＴＳ送信１１０８により応答してもよい。いったん、ＡＰ１１０２がＣＴＳメッセージ１１０８を受信すると、ＡＰは、ＳＴＡ１１０４1〜１１０４3に対するダウンリンクＭＵ−ＭＩＭＯ送信１１１０を開始してもよい。
【００７４】
ＳＴＡ１１０４1は、ＲＴＳメッセージ１１０６の宛先として、ＡＰ１１０２によって選択されてもよい。１つの態様では、媒体にアクセスするためのコンテンションに勝ったトラフィックのクラスに属しているトラフィックに関係付けられている、キュー中の最初のパケットのための宛先として、ＳＴＡ１１０４1が選択されてもよい。別の態様では、ＳＴＡ１１０４1〜１１０４3のそれぞれに関係付けられている媒体を通してのデータ通信の間の衝突の数に基づいて、ＳＴＡ１１０４1が選択されてもよい。例えば、ＳＴＡ１１０４1は、ＳＴＡ１１０４1、１１０４2、１１０４3間で、最大数の衝突を経験するＳＴＡであってもよい。
【００７５】
本開示のさらに別の態様では、データ通信用の媒体を予約するための１つ以上のＲＴＳの送信が回避されてもよく、それゆえ、制御メッセージを交換するオーバーヘッドを減少できる。図１２は、本開示のある態様にしたがった、ＭＵ−ＭＩＭＯ通信のための、ＣＴＳメッセージの単一の送信による、例示的なＣＴＳベースの媒体予約プロトコル１２００を図示している。
【００７６】
図１２において図示されているように、ＡＰ１２０２は、規定された時間期間の間に、データ通信用の媒体の予約をアナウンスする確認メッセージ１２０６を送信してもよい。確認メッセージ１２０６は、自己への送信可メッセージに対応していてもよく、確認メッセージ１２０６は、規定された時間期間に関連するＮＡＶ情報を含んでいてもよい。確認メッセージ１２０６の送信に続いて、規定された時間期間の間に、媒体を通して、複数のＳＴＡ（例えば、図１２において図示されている１２０４1、１２０４2、１２０４3）にデータ１２０８が送信されてもよい。
【００７７】
図１３は、本開示のある態様にしたがった、ＡＰ（例えば、図１２からのＡＰ１２０２）において実行してもよい例示的な動作１３００を説明している。１３０２において、ＡＰは、時間期間の間に、データ通信用の媒体の予約をアナウンスする確認メッセージを送信してもよい。１３０４において、確認メッセージの送信に続いて、ＡＰは、時間期間の間に、媒体を通して、複数の装置に同時にデータを送信してもよい。ある態様では、同時に送信されるデータは、ＭＵ−ＭＩＭＯ ＶＨＴ ＰＰＤＵを含んでもよい。
【００７８】
ある態様では、確認メッセージは、自己への送信可メッセージフォーマットと実質的に同じフォーマットを有していてもよい。さらに、確認メッセージは、時間期間に関連するＮＡＶ情報を含んでもよい。
【００７９】
図１４は、本開示のある態様にしたがった、ＳＴＡにおいて実行してもよい例示的な動作１４００を説明している。１４０２において、複数のＳＴＡのうちの１つのＳＴＡは、時間期間の間に、データ通信用の媒体の予約をアナウンスする確認メッセージを受信してもよい。１４０４において、ＳＴＡは、そのＳＴＡに専用のデータを受信してもよく、データは、時間期間の間に、媒体を通して送信される。
【００８０】
先述した例示的なプロトコル４００、７００、１０００、１１００、１２００のうちの少なくとも１つを参照すると、本開示のある態様は、受信ＳＴＡの組中の１つ以上のＳＴＡへのＡＰによる送信を含む方法をサポートしている。ＡＰによる送信は、媒体予約のための制御メッセージを少なくとも１つのＳＴＡと交換することと、受信ＳＴＡの組中の１つ以上のＳＴＡにＡＰからデータを送信することとを含んでもよい。さらに、ＡＰは、１つ以上のＳＴＡから、送信したデータに対する肯定応答を受信してもよい。制御メッセージは、データ送信の前に交換されてもよい。ある態様にしたがうと、制御メッセージは、１つ以上のＲＴＳメッセージ、または、１つ以上のＣＴＳメッセージのうちの少なくとも１つを含んでもよい。
【００８１】
ＲＴＳメッセージのそれぞれは、ＮＡＶ情報または送信側アドレスのうちの少なくとも１つを含んでもよい。ＮＡＶの表示は、後に続くデータ送信時間、または、後に続く肯定応送信時間のうちの少なくとも１つを保護してもよい。さらに、ＲＴＳメッセージのそれぞれは、宛先ＳＴＡのアドレスのリストを含んでもよいが、そのＲＴＳメッセージは、ＩＥＥＥ８０２．１１ファミリーのワイヤレス通信標準規格に準拠してもよい。
【００８２】
さらに、ある態様では、ＲＴＳメッセージのそれぞれ（例えば、図７からのＲＴＳメッセージ７０６、７１０および７１４）は、ＳＴＡがＣＴＳ送信によって返答するように要求される順序の表示を含んでもよい。別の態様では、ＲＴＳメッセージのそれぞれは、１つまたは複数のＳＴＡが１つ以上のＣＴＳメッセージによって返答すべき時間の表示を含んでもよい。
【００８３】
ある態様では、ＲＴＳメッセージのそれぞれ（例えば、図７からのＲＴＳメッセージ７０６、７１０および７１４）は、ユニキャストメッセージを含んでもよい。別の態様では、単一のブロードキャストＲＴＳメッセージまたはマルチキャストＲＴＳメッセージ（例えば、図４からのＲＴＳメッセージ４０６）が、複数のＳＴＡに送信されてもよい。さらに、ＲＴＳメッセージのそれぞれ（例えば、図７からのＲＴＳメッセージ７０６、７１０および７１４）は、ＣＴＳメッセージ返答のために１つ以上のＳＴＡによって使用されることになる空間ストリーム割振りを含んでもよい。
【００８４】
ある態様では、ＲＴＳメッセージのそれぞれ（例えば、図７からのＲＴＳメッセージ７０６、７１０および７１４）は、プライマリ周波数チャネル上で送信されてもよい。別の態様では、ＲＴＳメッセージのそれぞれは、プライマリ周波数チャネル上および１つ以上のセカンダリチャネル上で送信されてもよい。
【００８５】
ある態様では、各ＣＴＳメッセージは、受信したＲＴＳメッセージのチャネルに対応する各周波数チャネル上で、および、受信したＲＴＳメッセージのチャネルに対応する唯一の周波数チャネル上で、送信されてもよい。別の態様では、ＲＴＳメッセージを受信するチャネルの組がプライマリチャネルを含んでいる場合にのみ、ＳＴＡから各ＣＴＳメッセージが送信されてもよい。
【００８６】
ある態様では、プライマリチャネル上で、ＳＴＡからＣＴＳメッセージを何ら受信しない場合に、そのＳＴＡに対するデータを送信しなくてもよい。別の態様では、ＲＴＳメッセージがＳＴＡに対して送信されたチャネルのうちの少なくとも１つにおいて、そのＳＴＡからＣＴＳメッセージを何ら受信しない場合に、そのＳＴＡに対するデータを送信しなくてもよい。各ＳＴＡに対するデータは、複数の周波数チャネルを使用して送信してもよい。これらの周波数チャネルは、そのＳＴＡからＣＴＳメッセージを受信した周波数チャネルのサブセットに属していてもよい。代替的に、データ送信に対して利用される周波数チャネルは、そのＳＴＡから、および、複数のＳＴＡ中の他のすべてのＳＴＡから、１つ以上のＣＴＳメッセージを受信した周波数チャネルのサブセットに属していてもよい。
【００８７】
各ＣＴＳメッセージは、ＮＡＶ情報の表示を含んでもよい。ある態様では、ＮＡＶの表示は、対応するＲＴＳメッセージ内で受信したものと同じものであってもよい。さらに、各ＣＴＳメッセージは、ＩＥＥＥ８０２．１１ファミリーのワイヤレス通信標準規格に準拠してもよい。
【００８８】
１つの態様では、ＡＰは、例えば、媒体アクセスに対して、拡張された分散型チャネルアクセス（ＥＤＣＡ）プロトコルを使用することにより、受信ＳＴＡの組中の単一のＳＴＡに向けられた、単一のＲＴＳメッセージ（例えば、図１１からのＲＴＳメッセージ１１０６）を送信してもよい。“プライマリトラフィック”として規定されたトラフィックに対する宛先として、その単一のＳＴＡが選ばれてもよい。“プライマリトラフィック”は、媒体にアクセスするためのコンテンションに勝ったトラフィックのクラスに属しているトラフィックを含んでもよい。別の態様では、ＡＰは、ＥＤＣＡ媒体アクセスプロトコルを利用することにより、受信ＳＴＡの組中の複数のＳＴＡに向けられた、単一のＲＴＳメッセージ（例えば、図１０からのＲＴＳメッセージ１００６）を送信してもよい。
【００８９】
ＡＰは、受信ＳＴＡの組中の複数のＳＴＡに向けられた、複数のＲＴＳメッセージ（例えば、図７からのＲＴＳメッセージ７０６、７１０および７１４）を送信してもよい。１つの態様では、複数のＲＴＳメッセージは、受信ＳＴＡの組中のそれぞれのＳＴＡに対して、シーケンシャルに送信されてもよい。少なくとも第１のＲＴＳメッセージ（すなわち、ＲＴＳメッセージ７０６）は、ＥＤＣＡ媒体アクセスプロトコルにしたがって送信されてもよい。ＲＴＳメッセージは、第１のものを除いて、以前に送信したＲＴＳメッセージへの返答として受信したＣＴＳメッセージの受信の直後に、送信してもよい。別の態様では、複数のＲＴＳメッセージは、受信ＳＴＡの組中のそれぞれのＳＴＡに同時に送信されてもよい。さらに、同時ＣＴＳメッセージは、ＭＵ−ＭＩＭＯ送信にしたがって送信されてもよい。
【００９０】
ＲＴＳメッセージを受信する各ＳＴＡは、ＣＴＳメッセージの送信により応答してもよい。１つの態様では、ＣＴＳメッセージは、受信したＲＴＳメッセージに対する即座の返答として送信されてもよい。即座の返答でのＣＴＳメッセージは、ＲＴＳメッセージ中で特定されている空間ストリーム割振りにしたがって送信されてもよい。代替的に、即座の返答でのＣＴＳメッセージは、同時ＣＴＳメッセージを送信するすべてのＳＴＡに対して実質的に同じである信号を使用して、送信されてもよい。
【００９１】
別の態様では、ＣＴＳメッセージは、受信したＲＴＳメッセージ中で特定されている時間の後に送信されてもよい。さらに別の態様では、ＣＴＳメッセージは、ＲＴＳメッセージ中で受信した送信順序にしたがって送信されてもよい。このケースでは、ＳＴＡは、そのＣＴＳメッセージをいつ送信するかを決定するために、先行するＣＴＳ送信の数をカウントしてもよい。以前のＣＴＳ送信を検出することにより、カウントを実行してもよい。さらに、ＮＡＶカウンターがそのＳＴＡに対して既に設定されていた場合には、ＳＴＡによってＣＴＳメッセージが送信されなくてもよい。
【００９２】
ＡＰは、ＡＰから送信したＲＴＳメッセージに対する応答としてＣＴＳメッセージを返さなかったＳＴＡを、後続するマルチユーザデータ送信から除外してもよいことに留意すべきである。さらに、それに対してＲＴＳメッセージが送信された受信ＳＴＡの組中のＳＴＡのうちの１つ以上によってＣＴＳメッセージが何ら送信されない場合に、ＡＰは、受信ＳＴＡの組中に、少なくとも１つの新しいＳＴＡを含めてもよい。その後、ＡＰは、少なくとも１つの新しいＳＴＡとの制御メッセージの交換を開始してもよい。
【００９３】
対応する機能を実行することが可能な何らかの適切な手段により、先に説明した方法のさまざまな動作を実行してもよい。手段は、これらに限定されないが、回路、特定用途向け集積回路（ＡＳＩＣ）、または、プロセッサを含む、さまざまなハードウェアならびに／あるいはソフトウェアのコンポーネントおよび／またはモジュールを含んでいてもよい。一般的に、図面中で図示されている動作がある場合に、これらの動作は、類似するナンバリングを持つ、対応する相当のミーンズプラスファンクションコンポーネントを有していてもよい。例えば、図５、図６、図８、図９、図１３および、図１４において説明されている動作５００、６００、８００、９００、１３００、および、１４００は、図５Ａ、図６Ａ、図８Ａ、図９Ａ、図１３Ａ、および、図１４Ａにおいて説明されているコンポーネント５００Ａ、６００Ａ、８００Ａ、９００Ａ、１３００Ａ、および、１４００Ａに対応している。
【００９４】
ここで使用したような、“決定する”という用語は、幅広いさまざまなアクションを含んでいる。例えば、“決定する”は、算出する、計算する、処理する、導出する、調べる、検索する（例えば、表、データベース、または、別のデータ構造において検索する）、確認する、および、これらに類するものを含んでいてもよい。また、“決定する”は、受信する（例えば、情報を受信する）、アクセスする（例えば、メモリ中のデータにアクセスする）、および、これらに類するものを含んでいてもよい。また、“決定する”は、解決する、選択する、選ぶ、確立する、および、これらに類するものを含んでいてもよい。
【００９５】
ここで使用したような、アイテムのリスト“のうちの少なくとも１つ”を指すフレーズは、単一のメンバーを含む、これらのアイテムの何らかの組み合わせのことを指す。例として、“ａ、ｂ、または、ｃのうちの少なくとも１つ”は、ａ、ｂ、ｃ、ａ−ｂ、ａ−ｃ、ｂ−ｃ、および、ａ−ｂ−ｃをカバーすることを意図している。
【００９６】
さまざまなハードウェアならびに／あるいはソフトウェアのコンポーネント、回路、および／または、モジュールのような、動作を実行することが可能な何らかの適切な手段により、先に説明した方法のさまざまな動作を実行してもよい。一般的に、動作を実行することが可能な対応する機能的な手段により、図面中で図示されている何らかの動作を実行してもよい。
【００９７】
例えば、送信する手段は、例えば、アクセスポイント１１０の図２からの送信機２２２や、ユーザ端末１２０の図２からの送信機２５４や、または、ワイヤレスデバイス３０２の図３からの送信機３１０のような、送信機を含んでもよい。受信する手段は、例えば、アクセスポイント１１０の図２からの受信機２２２や、ユーザ端末１２０の図２からの受信機２５４や、または、ワイヤレスデバイス３０２の図３からの受信機３１２のような、受信機を含んでもよい。特定する手段は、例えば、アクセスポイント１１０の図２からのプロセッサ２１０や、アクセスポイント１１０の図２からのプロセッサ２４２や、ユーザ端末１２０の図２からのプロセッサ２７０や、ユーザ端末１２０の図２からのプロセッサ２８８や、または、ワイヤレスデバイス３０２の図３からのプロセッサ３０４のような、特定用途向け集積回路を含んでもよい。構築する手段は、例えば、プロセッサ２１０、プロセッサ２８８、または、プロセッサ３０４のような、特定用途向け集積回路を含んでもよい。マッピングする手段は、例えば、プロセッサ２１０、プロセッサ２８８、または、プロセッサ３０４のような、マッパーを含んでもよい。適用する手段は、例えば、プロセッサ２１０、プロセッサ２８８、または、プロセッサ３０４のような、特定用途向け集積回路を含んでもよい。スクランブリングする手段は、例えば、プロセッサ２１０、プロセッサ２８８、または、プロセッサ３０４のような、スクランブラーを含んでもよい。識別する手段は、例えば、プロセッサ２１０、プロセッサ２４２、プロセッサ２７０、プロセッサ２８８、または、プロセッサ３０４のような、特定用途向け集積回路を含んでもよい。デマッピングする手段は、例えば、プロセッサ２４２、プロセッサ２７０、または、プロセッサ３０４のような、デマッパーを含んでもよい。カウントする手段は、例えば、プロセッサ２１０、プロセッサ２４２、プロセッサ２７０、プロセッサ２８８、または、プロセッサ３０４のような、特定用途向け集積回路を含んでもよい。検出する手段は、例えば、プロセッサ２４２、プロセッサ２７０、または、プロセッサ３０４のような、特定用途向け集積回路を含んでもよい。選択する手段は、例えば、プロセッサ２１０、プロセッサ２８８、または、プロセッサ３０４のような、特定用途向け集積回路を含んでもよい。
【００９８】
本開示に関連して説明した、さまざまな例示的な論理的ブロック、モジュールおよび回路は、汎用プロセッサ、デジタル信号プロセッサ（ＤＳＰ）、特定用途向け集積回路（ＡＳＩＣ）、フィールドプログラム可能ゲートアレイ信号（ＦＰＧＡ）または他のプログラム可能論理デバイス（ＰＬＤ）、ディスクリートゲートまたはトランジスタ論理、ディスクリートハードウェアコンポーネント、あるいは、ここで説明した機能を実行するために設計されたこれらの何らかの組み合わせで、実現あるいは実行されてもよい。汎用プロセッサは、マイクロプロセッサであってもよいが、代替実施形態では、プロセッサは、何らかの商業的に入手可能なプロセッサ、制御装置、マイクロ制御装置、または、状態機械であってもよい。プロセッサはまた、コンピューティングデバイスの組み合わせとして、例えば、ＤＳＰとマイクロプロセッサの組み合わせ、複数のマイクロプロセッサ、ＤＳＰコアを備えた１つ以上のマイクロプロセッサ、あるいは、このようなコンフィギュレーションの他の何らかのものとして実現されてもよい。
【００９９】
本開示に関連して説明した方法またはアルゴリズムのステップは、直接、ハードウェアで、プロセッサにより実行されるソフトウェアモジュールで、あるいは、２つの組み合わせで具現化されてもよい。ソフトウェアモジュールは、技術的に知られている何らかの形態の記憶媒体中に存在していてもよい。使用してもよい記憶媒体のいくつかの例は、ランダムアクセスメモリ（ＲＡＭ）、リードオンリーメモリ（ＲＯＭ）、フラッシュメモリ、ＥＰＲＯＭメモリ、ＥＥＰＲＯＭメモリ、レジスタ、ハードディスク、リムーブバルディスク、ＣＤ−ＲＯＭ等を含む。ソフトウェアモジュールは、単一の命令または多くの命令を含んでおり、いくつかの異なるコードセグメントを通して、異なるプログラム間で、および、複数の記憶媒体にわたって、分散されてもよい。記憶媒体は、プロセッサが記憶媒体から情報を読み取り、記憶媒体に情報を書き込むことができるように、プロセッサに結合されていてもよい。代替実施形態では、記憶媒体はプロセッサに一体化していてもよい。
【０１００】
ここで開示した方法は、説明した方法を達成するための１つ以上のステップまたはアクションを含んでいる。方法ステップおよび／またはアクションは、特許請求の範囲から逸脱することなく、相互に入れ替えることができる。言い換えると、ステップまたはアクションの特定の順序が明記されていないなら、特許請求の範囲から逸脱することなく、特定のステップならびに／あるいはアクションの順序および／または使用を改良してもよい。
【０１０１】
説明した機能は、ハードウェアで、ソフトウェアで、ファームウェアで、または、これらの何らかの組み合わせで実現されてもよい。ソフトウェアで実現された場合、機能は、１つ以上の命令またコードとして、コンピュータ読取可能媒体上に記憶されてもよく、あるいは、コンピュータ読取可能媒体上に送信されてもよい。コンピュータ読取可能媒体は、記憶媒体と、１つの場所から別の場所へのコンピュータプログラムの転送を促進する何らかの媒体を含む通信媒体との双方を含む。記憶媒体は、コンピュータによりアクセスすることができる何らかの利用可能な媒体であってもよい。一例として、このようなコンピュータ読取可能媒体は、これらに限定されないが、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいは、コンピュータによりアクセスでき、命令またはデータ構造の形態で所望のプログラムコードを搬送するまたは記憶するために使用できる他の何らかの媒体を含むことができる。また、あらゆる接続は、コンピュータ読取可能媒体と適切に呼ばれる。例えば、ソフトウェアが、同軸ケーブルや、光ファイバケーブルや、撚り対や、デジタル加入者線（ＤＳＬ）や、あるいは、赤外線（ＩＲ）、無線、およびマイクロ波のようなワイヤレス技術を使用して、ウェブサイト、サーバ、または、他の遠隔ソースから送信される場合には、同軸ケーブル、光ファイバケーブル、撚り対、ＤＳＬ、あるいは、赤外線、無線、およびマイクロ波のようなワイヤレス技術は、媒体の定義に含まれる。ここで使用するようなディスク（ｄｉｓｋおよびｄｉｓｃ）は、コンパクトディスク（ＣＤ）、レーザディスク（登録商標）、光ディスク、デジタル多用途ディスク（ＤＶＤ）、フロッピー（登録商標）ディスク、および、ブルーレイ（登録商標）ディスクを含んでいる。ここで、ディスク（ｄｉｓｋ）が通常、データを磁気的に再生する一方で、ディスク（ｄｉｓｃ）はデータをレーザによって光学的に再生する。したがって、何らかの態様では、コンピュータ読取可能媒体は、一時的でないコンピュータ読取可能媒体（例えば、有体的媒体）を含んでもよい。加えて、他の態様に対して、コンピュータ読取可能媒体は、一時的なコンピュータ読取可能媒体（例えば、信号）を含んでもよい。先のものを組み合わせたものもまた、コンピュータ読取可能媒体の範囲内に含められるべきである。
【０１０２】
したがって、ある態様は、ここで提示した動作を実行するためのコンピュータプログラムプロダクトを含んでもよい。例えば、このようなコンピュータプログラムプロダクトは、その上に命令を記憶させた（および／またはエンコードさせた）コンピュータ読取可能媒体を具備していてもよく、命令は、ここで説明した動作を実行するように、１つ以上のプロセッサにより実行可能である。ある態様に対して、コンピュータプログラムプロダクトは、パッケージングマテリアルを含んでもよい。
【０１０３】
ソフトウェアまたは命令は、送信媒体を通しても送信されてもよい。例えば、同軸ケーブル、光ファイバケーブル、撚り対、デジタル加入者線（ＤＳＬ）、あるいは、赤外線、無線、およびマイクロ波のようなワイヤレス技術を使用して、ウェブサイト、サーバ、または、他の遠隔ソースから、ソフトウェアが送信される場合には、同軸ケーブル、光ファイバケーブル、撚り対、ＤＳＬ、あるいは、赤外線、無線、およびマイクロ波のようなワイヤレス技術は、送信媒体の定義に含まれる。
【０１０４】
さらに、ここで説明した方法および技術を実行するためのモジュールならびに／あるいは他の適切な手段が、適用可能なものとして、ユーザ端末および／または基地局によりダウンロードできるか、ならびに／あるいは、そうでなければ、ユーザ端末および／または基地局により取得できることを正しく認識すべきである。例えば、ここで説明した方法を実行するための手段の転送を促進するために、このようなデバイスをサーバに結合することができる。代替的には、記憶装置手段（例えば、ＲＡＭ、ＲＯＭ、コンパクトディスク（ＣＤ）またはフロッピーディスクのような物理的な記憶媒体等）を通して、ここで説明したさまざまな方法を提供できる。これにより、記憶装置手段をデバイスに結合すると、または、記憶装置手段をデバイスに提供すると、ユーザ端末および/または基地局が、さまざまな方法を取得できる。さらに、ここで説明した方法および技術をデバイスに提供するための他の何らかの適切な技術を利用できる。
【０１０５】
特許請求の範囲は、先に示したまさにそのコンフィギュレーションおよびコンポーネントに限定されるものではないことを理解すべきである。さまざまな改良、変更、および、バリエーションが、先に説明した方法ならびに装置の構成、運用、および、詳細において、特許請求の範囲から逸脱することなく行われてもよい。
【０１０６】
先の説明は、本開示の態様に向けられているが、本開示の他の態様およびさらなる態様を、これらの基本的な範囲から逸脱することなく考案してもよく、これらの範囲は、以下に続く特許請求の範囲により決定される。
【図１】
2013528015.tif 000003
【図２】
2013528015.tif 000004
【図３】
2013528015.tif 000005
【図４】
2013528015.tif 000006
【図５】
2013528015.tif 000007
【図５Ａ】
2013528015.tif 000008
【図６】
2013528015.tif 000009
【図６Ａ】
2013528015.tif 000010
【図７】
2013528015.tif 000011
【図８】
2013528015.tif 000012
【図８Ａ】
2013528015.tif 000013
【図９】
2013528015.tif 000014
【図９Ａ】
2013528015.tif 000015
【図１０】
2013528015.tif 000016
【図１１】
2013528015.tif 000017
【図１２】
2013528015.tif 000018
【図１３】
2013528015.tif 000019
【図１３Ａ】
2013528015.tif 000020
【図１４】
2013528015.tif 000021
【図１４Ａ】
2013528015.tif 000022
【手続補正書】
【提出日】平成25年2月21日(2013.2.21)
【手続補正１】
【補正対象書類名】特許請求の範囲
【補正対象項目名】全文
【補正方法】変更
【補正の内容】
【特許請求の範囲】
【請求項１】
ワイヤレス通信のための装置において、
データ通信用の媒体を予約するために、複数の装置に予約メッセージを送信するように構成されている送信機と、
前記予約メッセージに応答して前記複数の装置のうちの２つ以上からチャネル上で同時に送信された複数の確認メッセージを、前記チャネル上で受信するように構成されている受信機とを具備し、
前記送信機は、前記確認メッセージに応答して、前記媒体を通して、前記２つ以上の装置にデータを送信するようにも構成されており、
前記確認メッセージは、実質的に同じ波形を含む装置。
【請求項２】
前記予約メッセージは、ＩＥＥＥ８０２．１１送信要求（ＲＴＳ）メッセージフォーマットと実質的に同じフォーマットを有しており、
前記確認メッセージのそれぞれは、ＩＥＥＥ８０２．１１送信可（ＣＴＳ）メッセージフォーマットと実質的に同じフォーマットを有している請求項１記載の装置。
【請求項３】
前記予約メッセージは、ネットワークアロケーションベクトル（ＮＡＶ）情報を含む請求項１記載の装置。
【請求項４】
前記確認メッセージが前記実質的に同じ波形を確実に含むように、管理メッセージ中で１つ以上のパラメータを特定するように構成されている回路をさらに具備し、
前記送信機は、前記複数の装置に前記管理メッセージを送信するようにも構成されている請求項１記載の装置。
【請求項５】
前記パラメータのうちの１つは、前記確認メッセージを送信するために前記２つ以上の装置において適用されることになるスクランブリングシーケンスを示す請求項４記載の装置。
【請求項６】
前記予約メッセージは、前記複数の装置のマルチキャストグループアドレスを含む送信要求（ＲＴＳ）メッセージを含む請求項１記載の装置。
【請求項７】
前記複数の装置に対する一意的なグループアドレスを構築するように構成されている回路をさらに具備し、
前記送信機は、前記予約メッセージを送信する前に、前記複数の装置に前記一意的なグループアドレスを含む管理フレームを送信するようにも構成されている請求項１記載の装置。
【請求項８】
関数に基づいて、前記複数の装置の識別子を、グループ媒体アクセス制御（ＭＡＣ）アドレスにマッピングするように構成されているマッパーをさらに具備し、
前記送信機は、前記予約メッセージを送信する前に、前記グループＭＡＣアドレスを持つ管理メッセージを、前記複数の装置に送信するようにも構成されている請求項１記載の装置。
【請求項９】
前記予約メッセージは、前記複数の装置に送信されるブロードキャストメッセージを含む請求項１記載の装置。
【請求項１０】
前記予約メッセージは、前記拡張された分散型チャネルアクセス（ＥＤＣＡ）プロトコルにしたがって前記複数の装置に送信されるメッセージを含む請求項１記載の装置。
【請求項１１】
前記２つ以上の装置に送信されるデータは、マルチユーザ複数入力複数出力超高スループット物理レイヤコンバージェンスプロシージャプロトコルデータユニット（ＭＵ−ＭＩＭＯ ＶＨＴ ＰＰＤＵ）を含む請求項１記載の装置。
【請求項１２】
ワイヤレス通信のための方法において、
データ通信用の媒体を予約するために、複数の装置に予約メッセージを送信することと、
前記予約メッセージに応答して前記装置のうちの２つ以上からチャネル上で同時に送信された複数の確認メッセージを、前記チャネル上で受信することと、
前記確認メッセージに応答して、前記媒体を通して、前記２つ以上の装置にデータを送信することとを含み、
前記確認メッセージは、実質的に同じ波形を含む方法。
【請求項１３】
前記予約メッセージは、ＩＥＥＥ８０２．１１送信要求（ＲＴＳ）メッセージフォーマットと実質的に同じフォーマットを有しており、
前記確認メッセージのそれぞれは、ＩＥＥＥ８０２．１１送信可（ＣＴＳ）メッセージフォーマットと実質的に同じフォーマットを有している請求項１２記載の方法。
【請求項１４】
前記予約メッセージは、ネットワークアロケーションベクトル（ＮＡＶ）情報を含む請求項１２記載の方法。
【請求項１５】
前記確認メッセージが前記実質的に同じ波形を確実に含むように、管理メッセージ中で１つ以上のパラメータを特定することと、
前記複数の装置に前記管理メッセージを送信することとをさらに含む請求項１２記載の方法。
【請求項１６】
前記パラメータのうちの１つは、前記確認メッセージを送信するために前記２つ以上の装置において適用されることになるスクランブリングシーケンスを示す請求項１５記載の方法。
【請求項１７】
前記予約メッセージは、前記装置のマルチキャストグループアドレスを含む送信要求（ＲＴＳ）メッセージを含む請求項１２記載の方法。
【請求項１８】
前記複数の装置に対する一意的なグループアドレスを構築することと、
前記予約メッセージを送信する前に、前記複数の装置に前記一意的なグループアドレスを含む管理フレームを送信することとをさらに含む請求項１２記載の方法。
【請求項１９】
関数に基づいて、前記複数の装置の識別子を、グループ媒体アクセス制御（ＭＡＣ）アドレスにマッピングすることと、
前記予約メッセージを送信する前に、前記グループＭＡＣアドレスを持つ管理メッセージを、前記複数の装置に送信することとをさらに含む請求項１２記載の方法。
【請求項２０】
前記予約メッセージは、前記装置に送信されるブロードキャストメッセージを含む請求項１２記載の方法。
【請求項２１】
前記予約メッセージは、前記拡張された分散型チャネルアクセス（ＥＤＣＡ）プロトコルにしたがって前記装置に送信されるメッセージを含む請求項１２記載の方法。
【請求項２２】
前記２つ以上の装置に送信されるデータは、マルチユーザ複数入力複数出力超高スループット物理レイヤコンバージェンスプロシージャプロトコルデータユニット（ＭＵ−ＭＩＭＯ ＶＨＴ ＰＰＤＵ）を含む請求項１２記載の方法。
【請求項２３】
ワイヤレス通信のための装置において、
データ通信用の媒体を予約するために、複数の装置に予約メッセージを送信する手段と、
前記予約メッセージに応答して前記複数の装置のうちの２つ以上からチャネル上で同時に送信された複数の確認メッセージを、前記チャネル上で受信する手段とを具備し、
前記送信する手段は、前記確認メッセージに応答して、前記媒体を通して、前記２つ以上の装置にデータを送信するようにさらに構成されており、
前記確認メッセージは、実質的に同じ波形を含む装置。
【請求項２４】
前記予約メッセージは、ＩＥＥＥ８０２．１１送信要求（ＲＴＳ）メッセージフォーマットと実質的に同じフォーマットを有しており、
前記確認メッセージのそれぞれは、ＩＥＥＥ８０２．１１送信可（ＣＴＳ）メッセージフォーマットと実質的に同じフォーマットを有している請求項２３記載の装置。
【請求項２５】
前記予約メッセージは、ネットワークアロケーションベクトル（ＮＡＶ）情報を含む請求項２３記載の装置。
【請求項２６】
前記確認メッセージが前記実質的に同じ波形を確実に含むように、管理メッセージ中で１つ以上のパラメータを特定する手段をさらに具備し、
前記送信する手段は、前記複数の装置に前記管理メッセージを送信するようにさらに構成されている請求項２３記載の装置。
【請求項２７】
前記パラメータのうちの１つは、前記確認メッセージを送信するために前記２つ以上の装置において適用されることになるスクランブリングシーケンスを示す請求項２６記載の装置。
【請求項２８】
前記予約メッセージは、前記複数の装置のマルチキャストグループアドレスを含む送信要求（ＲＴＳ）メッセージを含む請求項２３記載の装置。
【請求項２９】
前記複数の装置に対する一意的なグループアドレスを構築する手段をさらに具備し、
前記送信する手段は、前記予約メッセージを送信する前に、前記複数の装置に前記一意的なグループアドレスを含む管理フレームを送信するようにさらに構成されている請求項２３記載の装置。
【請求項３０】
関数に基づいて、前記複数の装置の識別子を、グループ媒体アクセス制御（ＭＡＣ）アドレスにマッピングする手段をさらに具備し、
前記送信する手段は、前記予約メッセージを送信する前に、前記グループＭＡＣアドレスを持つ管理メッセージを、前記複数の装置に送信するようにさらに構成されている請求項２３記載の装置。
【請求項３１】
前記予約メッセージは、前記複数の装置に送信されるブロードキャストメッセージを含む請求項２３記載の装置。
【請求項３２】
前記予約メッセージは、前記拡張された分散型チャネルアクセス（ＥＤＣＡ）プロトコルにしたがって前記複数の装置に送信されるメッセージを含む請求項２３記載の装置。
【請求項３３】
前記２つ以上の装置に送信されるデータは、マルチユーザ複数入力複数出力超高スループット物理レイヤコンバージェンスプロシージャプロトコルデータユニット（ＭＵ−ＭＩＭＯ ＶＨＴ ＰＰＤＵ）を含む請求項２３記載の装置。
【請求項３４】
ワイヤレス通信のためのコンピュータ読取可能記憶媒体において、
データ通信用の媒体を予約するために、複数の装置に予約メッセージを送信するように実行可能な命令と、
前記予約メッセージに応答して前記装置のうちの２つ以上からチャネル上で同時に送信された複数の確認メッセージを、前記チャネル上で受信するように実行可能な命令と、
前記確認メッセージに応答して、前記媒体を通して、前記２つ以上の装置にデータを送信するように実行可能な命令とを含み、
前記確認メッセージは、実質的に同じ波形を含むコンピュータ読取可能記憶媒体。
【請求項３５】
アクセスポイントにおいて、
少なくとも１つのアンテナと、
データ通信用の媒体を予約するために、前記少なくとも１つのアンテナを介して、複数のアクセス端末に予約メッセージを送信するように構成されている送信機と、
前記予約メッセージに応答して前記アクセス端末のうちの２つ以上からチャネル上で同時に送信された複数の確認メッセージを、前記少なくとも１つのアンテナを介して、前記チャネル上で受信するように構成されている受信機とを具備し、
前記送信機は、前記確認メッセージに応答して、前記少なくとも１つのアンテナを介して、前記媒体を通して、前記２つ以上のアクセス端末にデータを送信するようにも構成されており、
前記確認メッセージは、実質的に同じ波形を含むアクセスポイント。
【請求項３６】
ワイヤレス通信のための装置において、
データ通信用の媒体を予約するために複数の装置に送信された予約メッセージを、前記複数の装置のうちの前記装置において、受信するように構成されている受信機と、
前記予約メッセージに応答して、前記複数の装置のうちの１つ以上から１つ以上の他の確認メッセージを送信することにより、確認メッセージを同時に送信するように構成されている送信機とを具備し、
前記受信機は、前記装置に専用のデータを受信するようにも構成されており、
送信されるすべての確認メッセージは、チャネル上で送信される実質的に同じ波形を含む装置。
【請求項３７】
前記予約メッセージは、ＩＥＥＥ８０２．１１送信要求（ＲＴＳ）メッセージフォーマットと実質的に同じフォーマットを有しており、
前記確認メッセージは、ＩＥＥＥ８０２．１１送信可（ＣＴＳ）メッセージフォーマットと実質的に同じフォーマットを有している請求項３６記載の装置。
【請求項３８】
前記受信機は、前記確認メッセージを送信する前に、前記複数の装置に送信された管理メッセージを受信するようにも構成されており、
前記管理メッセージは、前記送信されるすべての確認メッセージが、前記実質的に同じ波形を確実に含むための１つ以上のパラメータを含む請求項３６記載の装置。
【請求項３９】
前記パラメータのうちの１つは、スクランブリングシーケンスを示し、
前記装置は、
前記確認メッセージを送信するために、前記示されたスクランブリングシーケンスを適用するように構成されているスクランブラーをさらに具備し、
同じスクランブリングシーケンスが、前記他の確認メッセージを送信するために、前記１つ以上の装置において適用される請求項３８記載の装置。
【請求項４０】
前記予約メッセージは、前記複数の装置のマルチキャストグループアドレスを含む送信要求（ＲＴＳ）メッセージを含み、
前記装置は、
前記データが前記装置に対してアドレス指定されていることを、前記マルチキャストグループアドレスに基づいて識別するように構成されている回路をさらに具備する請求項３６記載の装置。
【請求項４１】
前記受信機は、前記予約メッセージの受信の前に、前記複数の装置の一意的なグループアドレスを持つ管理フレームを受信するようにも構成されており、
前記装置は、
前記データが前記装置にアドレス指定されていることを、前記一意的なグループアドレスに基づいて識別するように構成されている回路をさらに具備する請求項３６記載の装置。
【請求項４２】
前記受信機は、前記複数の装置に関係付けられているグループ媒体アクセス制御（ＭＡＣ）アドレスを持つ管理メッセージを受信するようにも構成されており、
前記装置は、
前記装置の識別子を取得するために、関数に基づいて、前記グループＭＡＣアドレスをデマッピングするように構成されているデマッパーと、
前記データが前記装置に対してアドレス指定されていることを、前記取得した識別子に基づいて識別するように構成されている回路とをさらに具備する請求項３６記載の装置。
【請求項４３】
前記確認メッセージは、前記受信した予約メッセージからのネットワークアロケーションベクトル（ＮＡＶ）情報を含む請求項３６記載の装置。
【請求項４４】
前記確認メッセージのそれぞれは、前記予約メッセージ中で特定されている空間ストリーム割振りにしたがって送信される請求項３６記載の装置。
【請求項４５】
ワイヤレス通信のための方法において、
データ通信用の媒体を予約するために複数の装置に送信された予約メッセージを、前記複数の装置のうちの１つの装置において、受信することと、
前記予約メッセージに応答して、前記複数の装置のうちの１つ以上から１つ以上の他の確認メッセージを送信することにより、確認メッセージを同時に送信することと、
前記装置に専用のデータを受信することとを含み、
送信されるすべての確認メッセージは、チャネル上で送信される実質的に同じ波形を含む方法。
【請求項４６】
前記予約メッセージは、ＩＥＥＥ８０２．１１送信要求（ＲＴＳ）メッセージフォーマットと実質的に同じフォーマットを有しており、
前記確認メッセージは、ＩＥＥＥ８０２．１１送信可（ＣＴＳ）メッセージフォーマットと実質的に同じフォーマットを有している請求項４５記載の方法。
【請求項４７】
前記確認メッセージを送信する前に、前記複数の装置に送信された管理メッセージを受信することをさらに含み、
前記管理メッセージは、前記送信されるすべての確認メッセージが、前記実質的に同じ波形を確実に含むための１つ以上のパラメータを含む請求項４５記載の方法。
【請求項４８】
前記パラメータのうちの１つは、スクランブリングシーケンスを示し、
前記方法は、
前記確認メッセージを送信するために、前記示されたスクランブリングシーケンスを適用することをさらに含み、
同じスクランブリングシーケンスが、前記他の確認メッセージを送信するために、前記１つ以上の装置において適用される請求項４７記載の方法。
【請求項４９】
前記予約メッセージは、前記複数の装置のマルチキャストグループアドレスを含む送信要求（ＲＴＳ）メッセージを含み、
前記方法は、
前記データが前記装置に対してアドレス指定されていることを、前記マルチキャストグループアドレスに基づいて識別することをさらに含む請求項４５記載の方法。
【請求項５０】
前記予約メッセージの受信の前に、前記複数の装置の一意的なグループアドレスを持つ管理フレームを受信することと、
前記データが前記装置に対してアドレス指定されていることを、前記一意的なグループアドレスに基づいて識別することとをさらに含む請求項４５記載の方法。
【請求項５１】
前記複数の装置に関係付けられているグループ媒体アクセス制御（ＭＡＣ）アドレスを持つ管理メッセージを受信することと、
前記装置の識別子を取得するために、関数に基づいて、前記グループＭＡＣアドレスをデマッピングすることと、
前記データが前記装置に対してアドレス指定されていることを、前記取得した識別子に基づいて識別することとをさらに含む請求項４５記載の方法。
【請求項５２】
前記確認メッセージは、前記受信した予約メッセージからのネットワークアロケーションベクトル（ＮＡＶ）情報を含む請求項４５記載の方法。
【請求項５３】
前記確認メッセージのそれぞれは、前記予約メッセージ中で特定されている空間ストリーム割振りにしたがって送信される請求項４５記載の方法。
【請求項５４】
ワイヤレス通信のための装置において、
データ通信用の媒体を予約するために複数の装置に送信された予約メッセージを、前記複数の装置のうちの前記装置において、受信する手段と、
前記予約メッセージに応答して、前記複数の装置のうちの１つ以上から１つ以上の他の確認メッセージを送信することにより、確認メッセージを同時に送信する手段とを具備し、
前記受信する手段は、前記装置に専用のデータを受信するようにさらに構成されており、
送信されるすべての確認メッセージは、チャネル上で送信される実質的に同じ波形を含む装置。
【請求項５５】
前記予約メッセージは、ＩＥＥＥ８０２．１１送信要求（ＲＴＳ）メッセージフォーマットと実質的に同じフォーマットを有しており、
前記確認メッセージは、ＩＥＥＥ８０２．１１送信可（ＣＴＳ）メッセージフォーマットと実質的に同じフォーマットを有している請求項５４記載の装置。
【請求項５６】
前記受信する手段は、前記確認メッセージを送信する前に、前記複数の装置に送信された管理メッセージを受信するようにさらに構成されており、
前記管理メッセージは、前記送信されるすべての確認メッセージが、前記実質的に同じ波形を確実に含むための１つ以上のパラメータを含む請求項５４記載の装置。
【請求項５７】
前記パラメータのうちの１つは、スクランブリングシーケンスを示し、
前記装置は、
前記確認メッセージを送信するために、前記示されたスクランブリングシーケンスを適用する手段をさらに具備し、
同じスクランブリングシーケンスが、前記他の確認メッセージを送信するために、前記１つ以上の装置において適用される請求項５６記載の装置。
【請求項５８】
前記予約メッセージは、前記複数の装置のマルチキャストグループアドレスを含む送信要求（ＲＴＳ）メッセージを含み、
前記装置は、
前記データが前記装置に対してアドレス指定されていることを、前記マルチキャストグループアドレスに基づいて識別する手段をさらに具備する請求項５４記載の装置。
【請求項５９】
前記受信する手段は、前記予約メッセージの受信の前に、前記複数の装置の一意的なグループアドレスを持つ管理フレームを受信するようにさらに構成されており、
前記装置は、
前記データが前記装置に対してアドレス指定されていることを、前記一意的なグループアドレスに基づいて識別する手段をさらに具備する請求項５４記載の装置。
【請求項６０】
前記受信する手段は、前記複数の装置に関係付けられているグループ媒体アクセス制御（ＭＡＣ）アドレスを持つ管理メッセージを受信するようにさらに構成されており、
前記装置は、
前記装置の識別子を取得するために、関数に基づいて、前記グループＭＡＣアドレスをデマッピングする手段と、
前記データが前記装置にアドレス指定されていることを、前記取得した識別子に基づいて識別する手段とをさらに具備する請求項５４記載の装置。
【請求項６１】
前記確認メッセージは、前記受信した予約メッセージからのネットワークアロケーションベクトル（ＮＡＶ）情報を含む請求項５４記載の装置。
【請求項６２】
前記確認メッセージのそれぞれは、前記予約メッセージ中で特定されている空間ストリーム割振りにしたがって送信される請求項５４記載の装置。
【請求項６３】
ワイヤレス通信のためのコンピュータ読取可能記憶媒体において、
データ通信用の媒体を予約するために複数の装置に送信された予約メッセージを、前記複数の装置のうちの１つの装置において、受信するように実行可能な命令と、
前記予約メッセージに応答して、前記複数の装置のうちの１つ以上から１つ以上の他の確認メッセージを送信することにより、確認メッセージを同時に送信するように実行可能な命令と、
前記装置に専用のデータを受信するように実行可能な命令とを含み、
送信されるすべての確認メッセージは、チャネル上で送信される実質的に同じ波形を含むコンピュータ読取可能記憶媒体。
【請求項６４】
アクセス端末において、
少なくとも１つのアンテナと、
データ通信用の媒体を予約するために複数のアクセス端末に送信された予約メッセージを、前記少なくとも１つアンテナを介して、前記複数のアクセス端末のうちの前記アクセス端末において、受信するように構成されている受信機と、
前記予約メッセージに応答して、前記複数のアクセス端末のうちの１つ以上から１つ以上の他の確認メッセージを送信することにより、前記少なくとも１つアンテナを介して、確認メッセージを同時に送信するように構成されている送信機とを具備し、
前記受信機は、前記少なくとも１つアンテナを介して、前記アクセス端末に専用のデータを受信するようにも構成されており、
送信されるすべての確認メッセージは、チャネル上で送信される実質的に同じ波形を含むアクセス端末。
【手続補正２】
【補正対象書類名】明細書
【補正対象項目名】０１０６
【補正方法】変更
【補正の内容】
【０１０６】
先の説明は、本開示の態様に向けられているが、本開示の他の態様およびさらなる態様を、これらの基本的な範囲から逸脱することなく考案してもよく、これらの範囲は、以下に続く特許請求の範囲により決定される。
以下に、本願出願の当初の特許請求の範囲に記載された発明を付記する。
［１］ワイヤレス通信のための装置において、
データ通信用の媒体を予約するために、複数の装置に予約メッセージを送信するように構成されている送信機と、
前記予約メッセージに応答して前記複数の装置のうちの２つ以上からチャネル上で同時に送信された複数の確認メッセージを、前記チャネル上で受信するように構成されている受信機とを具備し、
前記送信機は、前記確認メッセージに応答して、前記媒体を通して、前記２つ以上の装置にデータを送信するようにも構成されており、
前記確認メッセージは、実質的に同じ波形を含む装置。
［２］前記予約メッセージは、ＩＥＥＥ８０２．１１送信要求（ＲＴＳ）メッセージフォーマットと実質的に同じフォーマットを有しており、
前記確認メッセージのそれぞれは、ＩＥＥＥ８０２．１１送信可（ＣＴＳ）メッセージフォーマットと実質的に同じフォーマットを有している上記［１］記載の装置。
［３］前記予約メッセージは、ネットワークアロケーションベクトル（ＮＡＶ）情報を含む上記［１］記載の装置。
［４］前記確認メッセージが前記実質的に同じ波形を確実に含むように、管理メッセージ中で１つ以上のパラメータを特定するように構成されている回路をさらに具備し、
前記送信機は、前記複数の装置に前記管理メッセージを送信するようにも構成されている上記［１］記載の装置。
［５］前記パラメータのうちの１つは、前記確認メッセージを送信するために前記２つ以上の装置において適用されることになるスクランブリングシーケンスを示す上記［４］上記［４］記載の装置。
［６］前記予約メッセージは、前記複数の装置のマルチキャストグループアドレスを含む送信要求（ＲＴＳ）メッセージを含む上記［１］記載の装置。
［７］前記複数の装置に対する一意的なグループアドレスを構築するように構成されている回路をさらに具備し、
前記送信機は、前記予約メッセージを送信する前に、前記複数の装置に前記一意的なグループアドレスを含む管理フレームを送信するようにも構成されている上記［１］記載の装置。
［８］関数に基づいて、前記複数の装置の識別子を、グループ媒体アクセス制御（ＭＡＣ）アドレスにマッピングするように構成されているマッパーをさらに具備し、
前記送信機は、前記予約メッセージを送信する前に、前記グループＭＡＣアドレスを持つ管理メッセージを、前記複数の装置に送信するようにも構成されている上記［１］記載の装置。
［９］前記予約メッセージは、前記複数の装置に送信されるブロードキャストメッセージを含む上記［１］記載の装置。
［１０］前記予約メッセージは、前記拡張された分散型チャネルアクセス（ＥＤＣＡ）プロトコルにしたがって前記複数の装置に送信されるメッセージを含む上記［１］記載の装置。
［１１］前記２つ以上の装置に送信されるデータは、マルチユーザ複数入力複数出力超高スループット物理レイヤコンバージェンスプロシージャプロトコルデータユニット（ＭＵ−ＭＩＭＯ ＶＨＴ ＰＰＤＵ）を含む上記［１］記載の装置。
［１２］ワイヤレス通信のための方法において、
データ通信用の媒体を予約するために、複数の装置に予約メッセージを送信することと、
前記予約メッセージに応答して前記装置のうちの２つ以上からチャネル上で同時に送信された複数の確認メッセージを、前記チャネル上で受信することと、
前記確認メッセージに応答して、前記媒体を通して、前記２つ以上の装置にデータを送信することとを含み、
前記確認メッセージは、実質的に同じ波形を含む方法。
［１３］前記予約メッセージは、ＩＥＥＥ８０２．１１送信要求（ＲＴＳ）メッセージフォーマットと実質的に同じフォーマットを有しており、
前記確認メッセージのそれぞれは、ＩＥＥＥ８０２．１１送信可（ＣＴＳ）メッセージフォーマットと実質的に同じフォーマットを有している上記［１２］記載の方法。
［１４］前記予約メッセージは、ネットワークアロケーションベクトル（ＮＡＶ）情報を含む上記［１２］記載の方法。
［１５］前記確認メッセージが前記実質的に同じ波形を確実に含むように、管理メッセージ中で１つ以上のパラメータを特定することと、
前記複数の装置に前記管理メッセージを送信することとをさらに含む上記［１２］記載の方法。
［１６］前記パラメータのうちの１つは、前記確認メッセージを送信するために前記２つ以上の装置において適用されることになるスクランブリングシーケンスを示す上記［１５］記載の方法。
［１７］前記予約メッセージは、前記装置のマルチキャストグループアドレスを含む送信要求（ＲＴＳ）メッセージを含む上記［１２］記載の方法。
［１８］前記複数の装置に対する一意的なグループアドレスを構築することと、
前記予約メッセージを送信する前に、前記複数の装置に前記一意的なグループアドレスを含む管理フレームを送信することとをさらに含む上記［１２］記載の方法。
［１９］関数に基づいて、前記複数の装置の識別子を、グループ媒体アクセス制御（ＭＡＣ）アドレスにマッピングすることと、
前記予約メッセージを送信する前に、前記グループＭＡＣアドレスを持つ管理メッセージを、前記複数の装置に送信することとをさらに含む上記［１２］記載の方法。
［２０］前記予約メッセージは、前記装置に送信されるブロードキャストメッセージを含む上記［１２］記載の方法。
［２１］前記予約メッセージは、前記拡張された分散型チャネルアクセス（ＥＤＣＡ）プロトコルにしたがって前記装置に送信されるメッセージを含む上記［１２］記載の方法。
［２２］前記２つ以上の装置に送信されるデータは、マルチユーザ複数入力複数出力超高スループット物理レイヤコンバージェンスプロシージャプロトコルデータユニット（ＭＵ−ＭＩＭＯ ＶＨＴ ＰＰＤＵ）を含む上記［１２］記載の方法。
［２３］ワイヤレス通信のための装置において、
データ通信用の媒体を予約するために、複数の装置に予約メッセージを送信する手段と、
前記予約メッセージに応答して前記複数の装置のうちの２つ以上からチャネル上で同時に送信された複数の確認メッセージを、前記チャネル上で受信する手段とを具備し、
前記送信する手段は、前記確認メッセージに応答して、前記媒体を通して、前記２つ以上の装置にデータを送信するようにさらに構成されており、
前記確認メッセージは、実質的に同じ波形を含む装置。
［２４］前記予約メッセージは、ＩＥＥＥ８０２．１１送信要求（ＲＴＳ）メッセージフォーマットと実質的に同じフォーマットを有しており、
前記確認メッセージのそれぞれは、ＩＥＥＥ８０２．１１送信可（ＣＴＳ）メッセージフォーマットと実質的に同じフォーマットを有している上記［２３］記載の装置。
［２５］前記予約メッセージは、ネットワークアロケーションベクトル（ＮＡＶ）情報を含む上記［２３］記載の装置。
［２６］前記確認メッセージが前記実質的に同じ波形を確実に含むように、管理メッセージ中で１つ以上のパラメータを特定する手段をさらに具備し、
前記送信する手段は、前記複数の装置に前記管理メッセージを送信するようにさらに構成されている上記［２３］記載の装置。
［２７］前記パラメータのうちの１つは、前記確認メッセージを送信するために前記２つ以上の装置において適用されることになるスクランブリングシーケンスを示す上記［２６］記載の装置。
［２８］前記予約メッセージは、前記複数の装置のマルチキャストグループアドレスを含む送信要求（ＲＴＳ）メッセージを含む上記［２３］記載の装置。
［２９］前記複数の装置に対する一意的なグループアドレスを構築する手段をさらに具備し、
前記送信する手段は、前記予約メッセージを送信する前に、前記複数の装置に前記一意的なグループアドレスを含む管理フレームを送信するようにさらに構成されている上記［２３］記載の装置。
［３０］関数に基づいて、前記複数の装置の識別子を、グループ媒体アクセス制御（ＭＡＣ）アドレスにマッピングする手段をさらに具備し、
前記送信する手段は、前記予約メッセージを送信する前に、前記グループＭＡＣアドレスを持つ管理メッセージを、前記複数の装置に送信するようにさらに構成されている上記［２３］記載の装置。
［３１］前記予約メッセージは、前記複数の装置に送信されるブロードキャストメッセージを含む上記［２３］記載の装置。
［３２］前記予約メッセージは、前記拡張された分散型チャネルアクセス（ＥＤＣＡ）プロトコルにしたがって前記複数の装置に送信されるメッセージを含む上記［２３］記載の装置。
［３３］前記２つ以上の装置に送信されるデータは、マルチユーザ複数入力複数出力超高スループット物理レイヤコンバージェンスプロシージャプロトコルデータユニット（ＭＵ−ＭＩＭＯ ＶＨＴ ＰＰＤＵ）を含む上記［２３］記載の装置。
［３４］ワイヤレス通信のためのコンピュータプログラムプロダクトにおいて、
データ通信用の媒体を予約するために、複数の装置に予約メッセージを送信するように実行可能な命令と、
前記予約メッセージに応答して前記装置のうちの２つ以上からチャネル上で同時に送信された複数の確認メッセージを、前記チャネル上で受信するように実行可能な命令と、
前記確認メッセージに応答して、前記媒体を通して、前記２つ以上の装置にデータを送信するように実行可能な命令とを含むコンピュータ読取可能媒体を具備し、
前記確認メッセージは、実質的に同じ波形を含むコンピュータプログラムプロダクト。
［３５］アクセスポイントにおいて、
少なくとも１つのアンテナと、
データ通信用の媒体を予約するために、前記少なくとも１つのアンテナを介して、複数のアクセス端末に予約メッセージを送信するように構成されている送信機と、
前記予約メッセージに応答して前記アクセス端末のうちの２つ以上からチャネル上で同時に送信された複数の確認メッセージを、前記少なくとも１つのアンテナを介して、前記チャネル上で受信するように構成されている受信機とを具備し、
前記送信機は、前記確認メッセージに応答して、前記少なくとも１つのアンテナを介して、前記媒体を通して、前記２つ以上のアクセス端末にデータを送信するようにも構成されており、
前記確認メッセージは、実質的に同じ波形を含むアクセスポイント。
［３６］ワイヤレス通信のための装置において、
データ通信用の媒体を予約するために複数の装置に送信された予約メッセージを、前記複数の装置のうちの前記装置において、受信するように構成されている受信機と、
前記予約メッセージに応答して、前記複数の装置のうちの１つ以上から１つ以上の他の確認メッセージを送信することにより、確認メッセージを同時に送信するように構成されている送信機とを具備し、
前記受信機は、前記装置に専用のデータを受信するようにも構成されており、
送信されるすべての確認メッセージは、チャネル上で送信される実質的に同じ波形を含む装置。
［３７］前記予約メッセージは、ＩＥＥＥ８０２．１１送信要求（ＲＴＳ）メッセージフォーマットと実質的に同じフォーマットを有しており、
前記確認メッセージは、ＩＥＥＥ８０２．１１送信可（ＣＴＳ）メッセージフォーマットと実質的に同じフォーマットを有している上記［３６］記載の装置。
［３８］前記受信機は、前記確認メッセージを送信する前に、前記複数の装置に送信された管理メッセージを受信するようにも構成されており、
前記管理メッセージは、前記送信されるすべての確認メッセージが、前記実質的に同じ波形を確実に含むための１つ以上のパラメータを含む上記［３６］記載の装置。
［３９］前記パラメータのうちの１つは、スクランブリングシーケンスを示し、
前記装置は、
前記確認メッセージを送信するために、前記示されたスクランブリングシーケンスを適用するように構成されているスクランブラーをさらに具備し、
同じスクランブリングシーケンスが、前記他の確認メッセージを送信するために、前記１つ以上の装置において適用される上記［３８］記載の装置。
［４０］前記予約メッセージは、前記複数の装置のマルチキャストグループアドレスを含む送信要求（ＲＴＳ）メッセージを含み、
前記装置は、
前記データが前記装置に対してアドレス指定されていることを、前記マルチキャストグループアドレスに基づいて識別するように構成されている回路をさらに具備する上記［３６］記載の装置。
［４１］前記受信機は、前記予約メッセージの受信の前に、前記複数の装置の一意的なグループアドレスを持つ管理フレームを受信するようにも構成されており、
前記装置は、
前記データが前記装置にアドレス指定されていることを、前記一意的なグループアドレスに基づいて識別するように構成されている回路をさらに具備する上記［３６］記載の装置。
［４２］前記受信機は、前記複数の装置に関係付けられているグループ媒体アクセス制御（ＭＡＣ）アドレスを持つ管理メッセージを受信するようにも構成されており、
前記装置は、
前記装置の識別子を取得するために、関数に基づいて、前記グループＭＡＣアドレスをデマッピングするように構成されているデマッパーと、
前記データが前記装置に対してアドレス指定されていることを、前記取得した識別子に基づいて識別するように構成されている回路とをさらに具備する上記［３６］記載の装置。
［４３］前記確認メッセージは、前記受信した予約メッセージからのネットワークアロケーションベクトル（ＮＡＶ）情報を含む上記［３６］記載の装置。
［４４］前記確認メッセージのそれぞれは、前記予約メッセージ中で特定されている空間ストリーム割振りにしたがって送信される上記［３６］記載の装置。
［４５］ワイヤレス通信のための方法において、
データ通信用の媒体を予約するために複数の装置に送信された予約メッセージを、前記複数の装置のうちの１つの装置において、受信することと、
前記予約メッセージに応答して、前記複数の装置のうちの１つ以上から１つ以上の他の確認メッセージを送信することにより、確認メッセージを同時に送信することと、
前記装置に専用のデータを受信することとを含み、
送信されるすべての確認メッセージは、チャネル上で送信される実質的に同じ波形を含む方法。
［４６］前記予約メッセージは、ＩＥＥＥ８０２．１１送信要求（ＲＴＳ）メッセージフォーマットと実質的に同じフォーマットを有しており、
前記確認メッセージは、ＩＥＥＥ８０２．１１送信可（ＣＴＳ）メッセージフォーマットと実質的に同じフォーマットを有している上記［４５］記載の方法。
［４７］前記確認メッセージを送信する前に、前記複数の装置に送信された管理メッセージを受信することをさらに含み、
前記管理メッセージは、前記送信されるすべての確認メッセージが、前記実質的に同じ波形を確実に含むための１つ以上のパラメータを含む上記［４５］記載の方法。
［４８］前記パラメータのうちの１つは、スクランブリングシーケンスを示し、
前記方法は、
前記確認メッセージを送信するために、前記示されたスクランブリングシーケンスを適用することをさらに含み、
同じスクランブリングシーケンスが、前記他の確認メッセージを送信するために、前記１つ以上の装置において適用される上記［４７］記載の方法。
［４９］前記予約メッセージは、前記複数の装置のマルチキャストグループアドレスを含む送信要求（ＲＴＳ）メッセージを含み、
前記方法は、
前記データが前記装置に対してアドレス指定されていることを、前記マルチキャストグループアドレスに基づいて識別することをさらに含む上記［４５］記載の方法。
［５０］前記予約メッセージの受信の前に、前記複数の装置の一意的なグループアドレスを持つ管理フレームを受信することと、
前記データが前記装置に対してアドレス指定されていることを、前記一意的なグループアドレスに基づいて識別することとをさらに含む上記［４５］記載の方法。
［５１］前記複数の装置に関係付けられているグループ媒体アクセス制御（ＭＡＣ）アドレスを持つ管理メッセージを受信することと、
前記装置の識別子を取得するために、関数に基づいて、前記グループＭＡＣアドレスをデマッピングすることと、
前記データが前記装置に対してアドレス指定されていることを、前記取得した識別子に基づいて識別することとをさらに含む上記［４５］記載の方法。
［５２］前記確認メッセージは、前記受信した予約メッセージからのネットワークアロケーションベクトル（ＮＡＶ）情報を含む上記［４５］記載の方法。
［５３］前記確認メッセージのそれぞれは、前記予約メッセージ中で特定されている空間ストリーム割振りにしたがって送信される上記［４５］記載の方法。
［５４］ワイヤレス通信のための装置において、
データ通信用の媒体を予約するために複数の装置に送信された予約メッセージを、前記複数の装置のうちの前記装置において、受信する手段と、
前記予約メッセージに応答して、前記複数の装置のうちの１つ以上から１つ以上の他の確認メッセージを送信することにより、確認メッセージを同時に送信する手段とを具備し、
前記受信する手段は、前記装置に専用のデータを受信するようにさらに構成されており、
送信されるすべての確認メッセージは、チャネル上で送信される実質的に同じ波形を含む装置。
［５５］前記予約メッセージは、ＩＥＥＥ８０２．１１送信要求（ＲＴＳ）メッセージフォーマットと実質的に同じフォーマットを有しており、
前記確認メッセージは、ＩＥＥＥ８０２．１１送信可（ＣＴＳ）メッセージフォーマットと実質的に同じフォーマットを有している上記［５４］記載の装置。
［５６］前記受信する手段は、前記確認メッセージを送信する前に、前記複数の装置に送信された管理メッセージを受信するようにさらに構成されており、
前記管理メッセージは、前記送信されるすべての確認メッセージが、前記実質的に同じ波形を確実に含むための１つ以上のパラメータを含む上記［５４］記載の装置。
［５７］前記パラメータのうちの１つは、スクランブリングシーケンスを示し、
前記装置は、
前記確認メッセージを送信するために、前記示されたスクランブリングシーケンスを適用する手段をさらに具備し、
同じスクランブリングシーケンスが、前記他の確認メッセージを送信するために、前記１つ以上の装置において適用される上記［５６］記載の装置。
［５８］前記予約メッセージは、前記複数の装置のマルチキャストグループアドレスを含む送信要求（ＲＴＳ）メッセージを含み、
前記装置は、
前記データが前記装置に対してアドレス指定されていることを、前記マルチキャストグループアドレスに基づいて識別する手段をさらに具備する上記［５４］記載の装置。
［５９］前記受信する手段は、前記予約メッセージの受信の前に、前記複数の装置の一意的なグループアドレスを持つ管理フレームを受信するようにさらに構成されており、
前記装置は、
前記データが前記装置に対してアドレス指定されていることを、前記一意的なグループアドレスに基づいて識別する手段をさらに具備する上記［５４］記載の装置。
［６０］前記受信する手段は、前記複数の装置に関係付けられているグループ媒体アクセス制御（ＭＡＣ）アドレスを持つ管理メッセージを受信するようにさらに構成されており、
前記装置は、
前記装置の識別子を取得するために、関数に基づいて、前記グループＭＡＣアドレスをデマッピングする手段と、
前記データが前記装置にアドレス指定されていることを、前記取得した識別子に基づいて識別する手段とをさらに具備する上記［５４］記載の装置。
［６１］前記確認メッセージは、前記受信した予約メッセージからのネットワークアロケーションベクトル（ＮＡＶ）情報を含む上記［５４］記載の装置。
［６２］前記確認メッセージのそれぞれは、前記予約メッセージ中で特定されている空間ストリーム割振りにしたがって送信される上記［５４］記載の装置。
［６３］ワイヤレス通信のためのコンピュータプログラムプロダクトにおいて、
データ通信用の媒体を予約するために複数の装置に送信された予約メッセージを、前記複数の装置のうちの１つの装置において、受信するように実行可能な命令と、
前記予約メッセージに応答して、前記複数の装置のうちの１つ以上から１つ以上の他の確認メッセージを送信することにより、確認メッセージを同時に送信するように実行可能な命令と、
前記装置に専用のデータを受信するように実行可能な命令とを含むコンピュータ読取可能媒体を具備し、
送信されるすべての確認メッセージは、チャネル上で送信される実質的に同じ波形を含むコンピュータプログラムプロダクト。
［６４］アクセス端末において、
少なくとも１つのアンテナと、
データ通信用の媒体を予約するために複数のアクセス端末に送信された予約メッセージを、前記少なくとも１つアンテナを介して、前記複数のアクセス端末のうちの前記アクセス端末において、受信するように構成されている受信機と、
前記予約メッセージに応答して、前記複数のアクセス端末のうちの１つ以上から１つ以上の他の確認メッセージを送信することにより、前記少なくとも１つアンテナを介して、確認メッセージを同時に送信するように構成されている送信機とを具備し、
前記受信機は、前記少なくとも１つアンテナを介して、前記アクセス端末に専用のデータを受信するようにも構成されており、
送信されるすべての確認メッセージは、チャネル上で送信される実質的に同じ波形を含むアクセス端末。
【国際調査報告】
2013528015.tif 000023
2013528015.tif 000024
2013528015.tif 000025